(57)【要約】【課題】パチスロ遊技機において、特別入賞の当選確率の設定と関係なく、特別遊技状態の発生に基づき遊技者が獲得する利益量を変更可能とする。【解決手段】パチスロ遊技機の遊技制御装置は、通常遊技状態における特別入賞（ＢＢ入賞及びＲＢ入賞）の当選確率の設定値であるボーナス設定値を変更することができる。さらに、遊技制御装置は、特別遊技状態（ＢＢ）におけるメイン小役の当選確率の設定値である出メダル数設定値をボーナス設定値とは別に独立して変更することができる。従って、特別入賞の当選確率を高くするとともに、特別遊技状態（ＢＢ）における遊技者の獲得可能な利益量（メダル数）を少なくする設定とすることができる。逆に、特別入賞の当選確率を低くするとともに、特別遊技状態における遊技者の獲得可能な利益量を高くすることもできる。【選択図】        図１０
2004329532.tif 000002
【特許請求の範囲】
【請求項１】
複数の図柄を変動表示可能な変動表示手段と、
前記変動表示手段での変動表示を伴うゲームの実行毎に複数種の入賞の抽選を行う抽選手段と、
を備え、
前記抽選手段の抽選結果が前記複数種の入賞のうち特別入賞の当選となったことに基づき、当該当選した特別入賞に対応する図柄を停止し得るように前記変動表示手段の停止制御を行い、前記変動表示手段に該特別入賞に対応する図柄が停止した場合に、遊技者が利益を獲得しやすい特別遊技状態を発生するようにしたスロットマシンにおいて、
前記特別入賞の当選確率を外部操作に基づき複数段階で設定変更可能な特別入賞確率設定手段と、
前記特別入賞確率設定手段の設定変更とは別に設定変更可能に構成され、前記特別遊技状態の発生に基づき遊技者が獲得する利益量に関わる設定値を外部操作に基づき複数段階で設定変更可能な利益量設定手段と、
を備えたことを特徴とするスロットマシン。
【請求項２】
前記特別遊技状態が発生した場合には、特定の入賞の当選確率が高められたゲームを複数回実行可能となるものとし、
前記利益量設定手段は、前記特別遊技状態の発生に基づき高められる特定の入賞の当選確率を外部操作に基づき複数段階で設定変更可能な特定入賞確率設定手段を含むことを特徴とする請求項１に記載のスロットマシン。
【請求項３】
前記利益量設定手段での設定値に関する情報を遊技者に報知可能な報知手段を備えたことを特徴とする請求項１又は２に記載のスロットマシン。
【請求項４】
前記報知手段が報知する状態と報知しない状態とに外部操作に基づき切替可能な報知有無切替手段を備えたことを特徴とする請求項３に記載のスロットマシン。
【請求項５】
前記特別入賞確率設定手段および利益量設定手段の設定変更を可能とする設定変更状態に移行させるためのキー操作式の設定装置を設け、
前記設定変更状態において、前記特別入賞確率設定手段による設定変更操作を優先的に行わせる設定変更操作優先制御手段を備えたことを特徴とする請求項１〜４の何れか一項に記載のスロットマシン。
【請求項６】
前記ゲームに関わる演出表示を行う画像表示装置と、
前記特別入賞確率設定手段および利益量設定手段の設定変更情報を前記画像表示装置に表示させる表示制御手段と、
を備えたことを特徴とする請求項１〜５の何れか一項に記載のスロットマシン。
【請求項７】
前記特別入賞確率設定手段による設定値と前記利益量設定手段による設定値との組合せを規制する設定規制手段を備えたことを特徴とする請求項１〜６の何れか一項に記載のスロットマシン。
【発明の詳細な説明】
【０００１】
【発明の属する技術分野】
本発明は、スロットマシンに関する。
【０００２】
【従来の技術】
従来より、複数の図柄を外周面に表示したリール（ドラム）等の変動表示手段を例えば３個備えて、これらのリールを回転させることで複数の図柄を変動表示させてゲームを実行し、各リールの停止により表示窓内に停止表示した図柄が予め設定された有効ライン上において所定の図柄組合せ態様を形成した場合に、所定の価値を遊技者に付与するようにしたスロットマシン等の遊技機が一般的に知られている。
【０００３】
このようなスロットマシンにおいては、遊技者による所定数（通常１〜３枚）の遊技媒体（メダルや遊技球）の投入操作、あるいはクレジットからの賭けボタン操作（ベット操作）に基づく賭数の入力後、スタートレバーを操作することにより前記リールを回転させて図柄を変動表示させ、一定時間後自動的にまたは遊技者が各リールに対応して各々備えられたリール停止ボタンを操作することにより各リールの回転を順次停止させて図柄組合せ態様（停止表示態様）が確定される。そして、リールが停止した際に、前記賭数の入力に応じて有効化された有効ライン上に形成された図柄組合せ態様が、予め定められた所定の図柄組合せ態様（入賞態様）となった場合に入賞が確定（成立）し、入賞種類に対応した数の遊技媒体が遊技者に付与される。ここで、遊技者が遊技を開始するために遊技媒体を投入することおよび予めスロットマシンに預け入れた（クレジット）遊技媒体の記憶数から賭けボタン操作に応じてクレジット数を減算することに基づく賭数の入力を総称してベットまたは賭入力と呼ぶ。
【０００４】
また、一般的なメダルを使用するスロットマシンにおいては、複数種類の入賞が用意されており、例えば、比較的少量（例えば１０枚以下）のメダルが払い出される小役入賞、１枚のメダルをベットするだけで比較的多数（例えば１５枚）のメダルが払い出されるＪＡＣ入賞、メダルをベットすることなく再度ゲームが可能となるリプレイ入賞（リプレイは入賞として扱わない場合もある）、高確率でＪＡＣ入賞が成立しやすいＪＡＣゲームを所定の回数遊技できるレギュラーボーナス（以下ＲＢと略記する）を発生させるＲＢ入賞、特定の小役入賞の成立確率を通常状態よりも高めた小役ゲームと高確率でＪＡＣ入賞が成立しやすいＪＡＣゲームとを所定の回数遊技できるビッグボーナス（以下ＢＢと略記する）を発生させるＢＢ入賞とが用意されている。特に、ＲＢ入賞やＢＢ入賞等は特別入賞と称され、この特別入賞が成立すると小役入賞に比較して大量（１００枚以上）の遊技媒体を一気に獲得することができる特別遊技状態が発生するのである。
【０００５】
そして、通常スロットマシンには、ゲームの実行に関連して各種入賞に当選するか否かの抽選を予め行う機能（内部抽選機能：抽選手段）が備えられており、内部抽選の結果が入賞に当選（内部入賞が成立：入賞フラグが成立）した場合に限り、所定の図柄が有効ライン上に停止して入賞態様を形成することが許可され、極力入賞を成立できるようにリール制御（引込制御）が行われる。なお、内部抽選に当選することを「入賞フラグが成立する」ということもある。
一方、抽選結果が入賞の当選とならなかった場合（入賞フラグ不成立）は、遊技者がいかなるタイミングでリールの停止操作を行っても、所定の図柄が有効ライン上に停止して入賞態様を形成することがないようにリール制御（所謂、蹴飛ばし制御）が行われる。
【０００６】
また、一般的にスロットマシンにおいては、特別入賞の当選確率を外部装置により複数段階で設定変更可能な確率設定装置を備えていて、遊技店で自店の営業方針に応じて特別入賞の当選確率を設定することが可能となっている。また、確率設定装置による設定値に基づき特別遊技状態中における所定の入賞の当選確率が変更されるようなスロットマシンも知られている（例えば、特許文献１参照。）。
【０００７】
【特許文献１】
特開２０００−５１４３６号公報（第１４頁、図１１）
【０００８】
【発明が解決しようとする課題】
しかしながら、特許文献１に示すような従来の確率設定装置による設定では、各設定値毎に、特別入賞の当選確率と特別遊技状態中における所定の入賞（メイン小役）の当選確率との両方が予め決定されてしまっていたため、遊技店における種々の営業形態に対応するものではなかった。
即ち、遊技店における営業においては、特別入賞の当選確率の他、特別遊技状態が発生した場合に遊技者が獲得する遊技媒体数が重要となるが、従来の確率設定装置では、例えば、特別遊技状態の当選確率を高めた場合には特別遊技状態中に獲得する獲得遊技媒体数も多くなるような設定となってしまう。従って、例えば、特別遊技状態を比較的多数発生させるが、１回の特別遊技状態で獲得できる遊技媒体を少なくしたり、逆に、特別遊技状態の発生は少なくするが、発生した場合に多数の遊技媒体を獲得させたり、など、遊技店が要望する種々の営業形態に対応することができない。
【０００９】
本発明の課題は、特別入賞の当選確率の設定と関係なく、特別遊技状態の発生に基づき遊技者が獲得する利益量（例えば、ＢＢ中の獲得メダル数）を変更することができるスロットマシンを提供することである。
【００１０】
【課題を解決するための手段】
上記課題を解決するため、請求項１に記載の発明は、複数の図柄を変動表示可能な変動表示手段と、
前記変動表示手段での変動表示を伴うゲームの実行毎に複数種の入賞の抽選を行う抽選手段と、
を備え、
前記抽選手段の抽選結果が前記複数種の入賞のうち特別入賞の当選となったことに基づき、当該当選した特別入賞に対応する図柄を停止し得るように前記変動表示手段の停止制御を行い、前記変動表示手段に該特別入賞に対応する図柄が停止した場合に、遊技者が利益を獲得しやすい特別遊技状態を発生するようにしたスロットマシンにおいて、
前記特別入賞の当選確率を外部操作に基づき複数段階で設定変更可能な特別入賞確率設定手段と、
前記特別入賞確率設定手段の設定変更とは別に設定変更可能に構成され、前記特別遊技状態の発生に基づき遊技者が獲得する利益量に関わる設定値を外部操作に基づき複数段階で設定変更可能な利益量設定手段と、
を備えたことを特徴としている。
【００１１】
ここで、「変動表示手段」は、例えば、周囲に複数種類の図柄が表記されて回転開始及び回転停止が可能で、表示窓を介して複数種類の図柄のうちの一部を表示する円筒状のリールが挙げられる。なお、このようなリールは、遊技機に複数（例えば、３つ）備えら、回転したリールは、リールストップボタン等の停止操作手段により、個々に独立して停止させることが可能となっている。なお、変動表示手段は、上述のようなリールに限られるものではなく、例えば液晶表示装置やブラウン管式の表示装置やＥＬ表示装置等からなり、この表示内容（複数の図柄の表示）を変化させることで変動表示を行うものであっても良い。
【００１２】
また、「特別入賞」は、例えば、ＢＢ入賞、ＲＢ入賞などで、当該特別入賞の成立により遊技者が利益を獲得しやすい特別遊技状態（ＢＢ、ＲＢ等）が発生するものである。
また、「遊技者が利益を獲得しやすい特別遊技状態」とは、例えば、「通常（遊技）状態よりも遊技者が所定の遊技価値を獲得しやすい」というもので、より詳しくは、「所定の入賞（小役入賞、ＪＡＣゲーム入賞）の当選確率が通常状態よりも高められた」ことである。
また、「特別遊技状態の発生に基づき遊技者が獲得する利益量に関わる設定値」とは、例えば、特別遊技状態における小役入賞やボーナスイン（ＢＢ中のＲＢ入賞）やＪＡＣ入賞の当選確率、特別遊技状態における所定の入賞が高確率となるゲーム数（特別遊技状態が終了となる上限のゲーム数）、特別遊技状態にいて高確率となる所定の入賞の成立により払い出される遊技媒体の数、特別遊技状態において高確率で当選する小役入賞の種類などである。
なお、設定値とは、例えば、各種入賞の当選確率などの直接設定される値を示すものであるが、設定値を複数段階で設定変更可能とする際に、各段階に付された番号を設定値と称しても良い。例えば、設定値としての小役入賞の当選確率を、１／６、１／５、１／４…などのように段階的に設定可能とした場合に、当選確率を１／６とした場合の設定を設定１、１／５とした場合の設定を設定２、１／４とした場合の設定を設定３、…とし、これら設定１〜…等を設定値と称しても良い。
【００１３】
請求項１に記載の発明によれば、特別入賞の当選確率の設定変更とは別に、特別入賞が成立して特別遊技状態が発生することに基づいて遊技者が獲得する利益量に係わる設定値を設定変更することができるので、特別遊技状態を比較的多数発生させるが、１回の特別遊技状態で獲得できる遊技媒体（利益量）を少なくしたり、逆に、特別遊技状態の発生は少なくするが、発生した場合に多数の遊技媒体（利益量）を獲得させたり、など、遊技店が要望する種々の営業形態（営業形態の変更も含む）に対応できるスロットマシンとなる。
また、特別入賞の当選確率の設定変更とは別に、特別遊技状態における遊技者の利益量の設定を変更できるので、単に、特別入賞の当選確率を上げるとともに、その他の入賞の当選確率（特別遊技状態の小役入賞の当選確率も含む）も上げるのに比較して、特別入賞の当選確率を上げて特別遊技状態における遊技者の利益量を下げるなどが可能となることで、遊技店側で、遊技者の獲得利益量（遊技店の各遊技者に対する遊技媒体の払出量）の微細な調整が可能となる。
【００１４】
請求項２に記載の発明は、請求項１に記載のスロットマシンにおいて、
前記特別遊技状態が発生した場合には、特定の入賞の当選確率が高められたゲームを複数回実行可能となるものとし、
前記利益量設定手段は、前記特別遊技状態の発生に基づき高められる特定の入賞の当選確率を外部操作に基づき複数段階で設定変更可能な特定入賞確率設定手段を含むことを特徴としている。
【００１５】
請求項２に記載の発明によれば、特別遊技状態中に主に当選する特定の入賞（例えば、ＢＢ中の小役ゲームにおいて当選確率が最も高い小役入賞）、所謂メイン小役の当選確率を設定変更するので、特別遊技状態中に遊技者が獲得する利益量を確実に変更することが可能となる。
【００１６】
請求項３に記載の発明は、請求項１又は２に記載のスロットマシンにおいて、
前記利益量設定手段での設定値に関する情報を遊技者に報知可能な報知手段を備えたことを特徴としている。
ここで、「設定値に関する情報」とは、例えば、設定値自体、例えば、設定されるのが小役入賞の当選確率の場合に、現状で設定されている当選確率等の設定された値でも良いし、上述のように複数段階で段階的に設定変更可能とした場合の各段階に対応して付された連番、すなわち、設定１，設定２等の設定値であっても良いし、設定値に基づいて特別遊技状態において遊技者が利益として得られる遊技媒体数、より具体的には、例えば、特別遊技状態における遊技媒体の投入数と払出数との差の予想値（平均値、最大値、最低値等）であっても良い。
【００１７】
請求項３に記載の発明によれば、特別遊技状態が発生した場合の性能（例えば、特別遊技状態における平均的な遊技媒体の獲得数）を遊技者は知ることができるので、安心して遊技を行えるし、遊技するスロットマシンの選択の目安にもなる。
また、遊技店においては、特別遊技状態で獲得し得る遊技媒体数を同一機種では同じ設定にすることも考えられるが、このような場合に、設定を報知することで、台毎に設定差を設けていないことをアピールできる。
さらに、特別遊技状態で獲得し得る遊技媒体数の設定を高い設定にした場合に、その設定を報知することで遊技者にアピールでき、来店する遊技者数を増加できる。
【００１８】
請求項４に記載の発明は、請求項３に記載のスロットマシンにおいて、
前記報知手段が報知する状態と報知しない状態とに外部操作に基づき切替可能な報知有無切替手段を備えたことを特徴としている。
【００１９】
請求項４に記載の発明によれば、特別遊技状態で獲得し得る遊技媒体数等の利益量に関する設定を、営業形態に応じて遊技店で報知するか、報知しないかを選択でき、例えば、低設定である場合にその設定状態が報知されることで遊技店の利益が低下してしまう等の事態を防止できる。
【００２０】
請求項５に記載の発明は、請求項１〜４の何れか一項に記載のスロットマシンにおいて、
前記特別入賞確率設定手段および利益量設定手段の設定変更を可能とする設定変更状態に移行させるためのキー操作式の設定装置を設け、
前記設定変更状態において、前記特別入賞確率設定手段による設定変更操作を優先的に行わせる設定変更操作優先制御手段を備えたことを特徴としている。
【００２１】
ここで、「キー操作式」とは、装置の操作にキー（鍵）を必要とする方式であり、装置に設けられた鍵穴（ロック）に対応するキーが無ければ装置を操作できない方式である。
【００２２】
請求項５に記載の発明によれば、キー操作式であることにより不正行為を防止できる。
また、遊技店においては、スロットマシンの調整を行う場合に、従来から一般的で、かつ、スロットマシンのゲームにおいて重要な特別入賞の当選確率を設定する特別入賞確率設定手段を操作することの方が、本発明で提案された利益量設定手段を操作することより多くなる可能性が高く、キー操作により設定変更状態にした後に特別入賞確率設定手段のみを操作する場合に、特別入賞確率設定手段を優先的に操作できるようになっていると非常に便利である。
【００２３】
請求項６記載の発明は、請求項１〜５の何れか一項に記載のスロットマシンにおいて、
前記ゲームに関わる演出表示を行う画像表示装置と、
前記特別入賞確率設定手段および利益量設定手段の設定変更情報を前記画像表示装置に表示させる表示制御手段と、
を備えたことを特徴としている。
【００２４】
ここで「画像表示装置」とは、変動表示手段とは別に設けられた画像表示装置であり、例えば、液晶ディスプレイ等の各種フラットディスプレイや、ＣＲＴ等からなるものである。そして、画像表示装置においては、ゲームに関わる演出として、各ゲーム中に（スタートレバーを操作した後に）、各種入賞の当選及び外れの報知を行ったり、特別入賞の当選が既に確定していることの報知を行ったりする。
【００２５】
請求項６に記載の発明によれば、画像表示装置での表示を見ながら簡単且つ確実に設定変更操作を行うことができる。すなわち、従来のように、パチスロ遊技機内部（例えば、前扉の裏側）に設けられた７セグの小さなディスプレイよりも見やすい、演出表示用の画像表示装置に設定変更情報としての設定値等を表示できるので、設定変更の際の見間違い等のミスを防止できる。
【００２６】
請求項７に記載の発明は、請求項１〜６の何れか一項に記載のスロットマシンにおいて、前記特別入賞確率設定手段による設定値と前記利益量設定手段による設定値との組合せを規制する設定規制手段を備えたことを特徴とする。
【００２７】
請求項７に記載の発明によれば、遊技店において、あまりにも極端な設定が行われることを防止できる。例えば、通常遊技状態における特別入賞の当選確率及び特別遊技状態における特定入賞の当選確率を各々最高設定にしたり、各々を最低設定にしたり、など、遊技店と遊技者との利益バランスが極端に偏るような設定の組合せを防止できる。
すなわち、特別入賞確率設定手段の設定を設定１（低確率）から設定６（高確率）までとし、同じく利益量設定手段の設定を設定１（低確率）から設定６（高確率）までとした場合に、特別入賞確率設定手段の設定１に対して利益量設定手段の設定可能な設定を設定３から設定６までに規制したり、特別入賞確率設定手段の設定６に対して利益量設定手段の設定可能な設定を設定１から設定４までに規制したり、利益量設定手段の設定１に対して特別入賞確率設定手段の設定を設定３から設定６まで規制したり、利益量設定手段の設定６に対して特別入賞確率設定手段の設定を設定１から設定４まで規制したりすることで、極端な設定を防止できる。
【００２８】
【発明の実施の形態】
以下、図面を参照して、本発明の実施の形態について説明する。
本実施の形態は、本発明に係るスロットマシンの適例としてのパチスロ遊技機について説明を行うものである。
【００２９】
図１に示すスロットマシンとしてのパチスロ遊技機１００は、前面が開放した箱形の機枠（図示略）の内部に各種の機器が設けられるとともに、この機枠の前面に、前扉２が、片開き形式に開閉可能に設けられることで概略構成されている。
【００３０】
前扉２の前面の上部中央には、後方を透視可能な（例えば透明の）図柄表示窓５が形成され、この図柄表示窓５の奥には、それぞれ独立に回転可能な複数（例えば、３つ）のリール、即ち、第１リール２０ａ（左リール）、第２リール２０ｂ（中リール）、及び、第３リール２０ｃ（右リール）が配されている。
これらリール２０ａ〜２０ｃは、例えば各々略円筒状をなし、各々の周囲には、例えば、図５に示すように、複数種類の図柄が一定間隔に配置されることで構成された図柄列（例えば、図柄番号一番から２１番までの都合２１コマ分の図柄の配列）が表記されている。なお、図３には、各リール２０ａ〜２０ｃに表記された図柄列を平面的に展開した状態を示す。
そして、各リール２０ａ〜２０ｃは、各々の図柄列中の図柄のうち、連続する所定数（例えば、３つ）の図柄が図柄表示窓５を介して視認可能となるように配置されていて、リール２０ａ〜２０ｃを回転及び回転停止するリール用モータ６１１〜６１３（図２に図示）とともに、各リール２０ａ〜２０ｃの図柄表示窓５から露出する部分によりそれぞれ構成される複数の表示領域において、それぞれ図柄（複数の図柄）の変動表示を行う変動表示手段２０を構成している。
【００３１】
また、図柄の種類は、例えば、図３に示すように、「７」（例えば、第１リール２０ａの図柄番号１番等）、「ＢＡＲ」（例えば、第１リール２０ａの図柄番号２０番等）、「太鼓」（例えば、第１リール２０ａの図柄番号２番等）、「はっぴ」（例えば、第１リール２０ａの図柄番号３番等）、「リプレイ（団扇）」（例えば、第１リール２０ａの図柄番号４番等）、「チェリー」（例えば、第１リール２０ａの図柄番号６番等）及び「一番」（例えば、第１リール２０ａの図柄番号１０番等）の都合７種類となっている。
なお、このうち、「７」は、ビックボーナス（ＢＢ）図柄ともいい、これが後述する有効ライン上に、３つならんだ場合にＢＢ入賞が成立する。また、「ＢＡＲ」は、レギュラーボーナス（ＲＢ）図柄ともいい、これが後述する有効ライン上に、３つならんだ場合にＲＢ入賞が成立する。また、ＢＢ入賞とＲＢ入賞とを合わせて特別入賞ともいう。
【００３２】
また、パチスロ遊技機１００は、上述のように各リール２０ａ〜２０ｃを回転駆動させるリール用モータ６１１〜６１３（図２に図示）を備えている。
各モータ６１１〜６１３は、それぞれステッピングモータ等から構成され、各々、後述する遊技制御装置５０の制御下で作動し、対応するリール２０ａ〜２０ｃをそれぞれ独立に、軸周りに回転駆動ならびに回転停止させることが可能となっている。
そして、各モータ６１１〜６１３が、対応するリール２０ａ〜２０ｃを各々独立に回転駆動させることで、複数種類の図柄を図柄表示窓５奥にて、例えば上から下へと循環するよう高速で移動させる（図柄を変動表示させる）ようになっている。
さらに、変動表示の開始後、（後述するリールストップボタン１４ａ，１４ｂ，１４ｃの停止操作に基づき）各モータ６１１〜６１３によりリール２０ａ〜２０ｃの全てを停止させることで、上下に３列、横に３列で、都合９つの図柄を変動表示手段２０にて停止状態で表示する停止表示を行うようになっている。
【００３３】
ここで、変動表示手段２０には、複数の有効化可能ラインが設定されている。即ち、例えば、変動表示手段２０における各リール２０ａ〜２０ｃ中段の図柄を横切る有効化可能ライン（中段横ライン）、変動表示手段２０における各リール２０ａ〜２０ｃ上段の図柄を横切る有効化可能ライン（上段横ライン）、変動表示手段２０における各リール２０ａ〜２０ｃ下段の図柄を横切る有効化可能ライン（下段横ライン）、変動表示手段２０において第１リール２０ａ下段−第２リール２０ｂ中段−第３リール２０ｃ上段にかけて各リールを斜めに横切る有効化可能ライン（右上がりの斜めライン）、及び、変動表示手段２０において第１リール２０ａ上段−第２リール２０ｂ中段−第３リール２０ｃ下段にかけて各リールを斜めに横切る有効化可能ライン（右下がりの斜めライン）の都合５つの有効化可能ラインが設定されている。
なお、後述するように、ベット数に応じて所定数の有効化可能ラインが有効化されて各々有効ラインとなるようになっているが、この有効ライン上に、複数種類設定された入賞のうち何れかに対応する図柄組合せ態様で図柄が停止表示することにより入賞結果態様が成立し、各入賞結果態様に対応した所定数の賞メダル（遊技価値）の払い出し等を行うようになっている。
このように、有効化可能ラインは、ゲームが行われていない場合には有効となっていないが、ゲームが行われた場合に入賞を成立させるために有効化することが可能なラインである。
【００３４】
また、第１リール２０ａ、第２リール２０ｂ、および、第３リール２０ｃの中（裏面側）には、リール裏面ランプ６６５が設けられており、図柄表示窓５全体を各リール２０ａ〜２０ｃの裏面側から照らしたり、各リール２０ａ〜２０ｃ毎に照らしたり（三つのリールのうちの一つもしくは複数のリールを背面から照らす）、有効ライン毎に照らしたり（５つの有効ラインのうちの一本、もしくは複数本の有効ラインを照らす）、図柄表示窓５内で各リールの各図柄が停止される９つの領域毎に照らしたり（９つの領域のうちの一つもしくは複数を照らす）するものである。
【００３５】
さらに、前扉２前面において、図柄表示窓５の下方片側には、１ゲームを開始するスタート操作を行うためのスタートレバー１３が設けられている。
さらに、前扉２前面において、図柄表示窓５の下方には、第１リール２０ａ、第２リール２０ｂ、および、第３リール２０ｃとそれぞれ１対１で対応付けられ、対応するリール２０ａ〜２０ｃの回転をそれぞれ停止させて図柄を停止表示させるためのストップボタン、即ち、第１リールストップボタン１４ａ、第２リールストップボタン１４ｂ、および、第３リールストップボタン１４ｃが設けられている。
なお、これらリールストップボタン１４ａ〜１４ｃは、例えば、色付きの半透明の樹脂などから構成されている。そして、これらリールストップボタン１４ａ〜１４ｃの奥には、該リールストップボタン１４ａ〜１４ｃの操作により各リール２０ａ〜２０ｃを停止可能な状態か否かを、点灯により報知するためのストップボタンランプ１４０（図２）がそれぞれ設けられている。
【００３６】
また、図柄表示窓５の上に設けられた表示装置４（例えば、液晶表示装置）は、その表示状態の変化により抽選結果に関連する演出表示等の表示を行うものであり、演出表示手段となるものである。
ベットライン表示部３１は、その奥に配されたランプを有し、これらランプの点灯状態によりメダルのベット数を表示するとともに、ベット数に対応する有効ラインを指示するものである。ＧＡＭＥ  ＯＶＥＲランプ部３３は、ビッグボーナスが終了したことをその奥に配されたランプ（遊技状態表示部６５０（図２）の一部）の点灯によって報知するものである。ＷＡＩＴランプ部３４の奥にはランプ（遊技状態表示部６５０（図２）の一部）が配されており、このランプが、スタートレバー１３が操作されてから全てのリール２０ａ〜２０ｃが回転開始し、リールストップボタン１４ａ，１４ｂ，１４ｃによる停止操作が可能となるまでの期間に点灯することで、該期間中であることを報知するようになっている。ＲＥＰＬＡＹランプ部３５は、リプレイ入賞の入賞結果態様が成立して次回遊技がリプレイになったことをその奥に配されたランプ（遊技状態表示部６５０（図２）の一部）の点灯によって報知するものである。ＩＮＳＥＲＴ  ＭＥＤＡＬＳランプ部３６は、遊技が行われておらず、しかもベット或いはクレジットとしてメダルを受け容れ可能な状態のときに、その奥に配されたランプ（遊技状態表示部６５０（図２）の一部）が点滅を繰り返すことで、メダルの投入を促すためのものである。
【００３７】
また、メダル投入口６は、メダルを投入してベットする（賭けを行う）ためのものである。クレジット数表示部７は、その奥に配された、例えば、７セグメントのＬＥＤからなるクレジット数表示器を有し、クレジット数表示器の点灯状態により、メダルのクレジット数を表示するものである。払出数表示部８は、その奥に配された、例えば、７セグメントのＬＥＤからなる払出数表示器を有し、払出数表示器の点灯状態により、メダルの払い出し数を表示するものである。遊技進行表示部１１は、その奥に配された、例えば、７セグメントのＬＥＤからなる遊技進行表示器を有し、遊技進行表示器の点灯状態によりボーナスゲームの進行に関する表示を行う。
【００３８】
さらに、前扉２の前面には、クレジットされたメダルのうち限度数（例えば、３枚）のメダルのベット（賭け）を一度の操作で行うためのマックスベットボタン９、クレジットされたメダルを、操作を一度行う毎に１枚ずつベットするための１ベットボタン１０、メダルのクレジット状態／非クレジット状態を選択するためのクレジット選択ボタン１２、前扉２を開くための鍵が差し込まれる鍵穴１５、装飾のために点灯或いは点滅する装飾表示部６６１，６６２，６６３、前扉２の下部領域を構成する飾り板部１６等が設けられ、さらに、前扉２の前面の最下部には灰皿１７及びメダルを貯留するための受皿１８が配設されている。
また、装飾表示の一部として、表示装置４の向かって左側には、ＷＩＮランプ８００が設けられている。ＷＩＮランプ８００は、特別入賞が当選して成立した際に点灯するとともに、当選した特別入賞が未だ成立していない状態で、特別入賞の当選を遊技者に報知するために点灯する場合がある。
【００３９】
さらに、パチスロ遊技機１００は、その機枠の内部に、図２に示すように、スピーカ等の音出力部６０と、入賞結果態様の成立に基づきメダルを払い出すメダル払出部８０（例えばホッパー）を備えている。
【００４０】
加えて、パチスロ遊技機１００は、図２に示すように、遊技を統括的に制御する遊技制御装置（メイン制御装置）５０と、この遊技制御装置５０の制御下で遊技の演出に関する制御を統括的に行う演出制御装置（サブ制御装置）７００と、を備えて、制御系を構成している。また、この制御系の構成要素も、それぞれ機枠の内部に配されている。
【００４１】
このうち、遊技制御装置５０は、ＣＰＵ（Ｃｅｎｔｒａｌ  Ｐｒｏｃｅｓｓｉｎｇ  Ｕｎｉｔ）５１、ＲＯＭ（Ｒｅａｄ  ｏｎｌｙ  ｍｅｍｏｒｙ）５２、ＲＡＭ（Ｒａｎｄｏｍ  Ａｃｃｅｓｓ  ｍｅｍｏｒｙ）５３、Ｉ／Ｆ（Ｉｎｔｅｒｆａｃｅ）５４、乱数発生回路（図示略）等を備えて構成されている。
【００４２】
このうちＣＰＵ５１は、制御部、演算部を備え、遊技制御装置５０の演算処理装置として後述するような各種演算制御を行う。
【００４３】
ＲＯＭ５２には、各種処理を実行するための制御プログラムや制御データが書き込まれている他、後述する内部抽選用等の各種の判定値などが書き込まれている。なお、判定値は、例えば、各入賞毎に設定された当選確率に基づいて決められており、例えば、乱数として用いられる数値の範囲が０〜４０９５で、入賞の当選確率が１／２５６の場合に、０〜４０９５の数値から１６個の判定値が選択されて設定されている。従って、後述するように入賞の当選確率を変更する場合には、判定値の数が変更されることになる。
【００４４】
また、ＲＯＭ５２には、各ゲームにおいて、上述の停止制御を行う際に、後述する入賞の抽選の抽選結果として、各入賞に当選した場合の各入賞に対応する停止テーブルと外れに対応する停止テーブルを記憶している。なお、停止テーブルは、各リール２０ａ〜２０ｃ上の図柄の停止位置を決定するためのテーブルであり、この停止テーブルは、リールストップボタン１４ａ，１４ｂ，１４ｃが操作されたときの各リール２０ａ〜２０ｃの回転位置に応じて、各リール２０ａ〜２０ｃの滑りコマ数を予め定めたものである。
【００４５】
例えば、停止テーブルにおいては、各リール２０ａ〜２０ｃの各図柄が前記有効化可能ラインのうちの中断横ラインに対応する所定範囲に位置するときの滑りコマ数が決められており、１つの停止テーブルにおいては、第１リール２０ａの図柄番号６の「チェリー」が中断横ラインの所定範囲の位置にあるときに、第１リールストップボタン１４ａの操作による信号が入力した場合の停止制御として、２コマ滑ることが規定されている。このように各停止テーブルでは、各リール２０ａ〜２０ｃの各図柄に対応する範囲の回転位置に対応して、滑りコマ数が、例えば、０〜４の範囲で規定されている。
【００４６】
なお、各停止テーブルは、上述のように抽選結果としての当選した入賞もしくは外れに対応しており、各リール２０ａ〜２０ｃの各図柄の配列に基づいて、抽選結果として当選した入賞を成立もしくは成立可能とするとともに、基本的に当選した入賞以外の入賞が成立しないようになっている。また、抽選結果が外れの場合には、何れの入賞も成立させない停止テーブルが用いられるが、特別入賞に当選している場合には、特別入賞の当選が成立するまで、特別入賞の当選が決定したゲーム以降のゲームに当選が持ち越されるので、特別入賞の当選が持ち越されている状態で抽選結果が外れとなった場合には、外れの停止テーブルではなく、特別入賞の当選用の停止テーブルが用いられる。
また、停止テーブルには、同じ遊技状態で同じ入賞の抽選結果でも複数のテーブルが用意されており、ランダムな抽選や、ベット数や、リールストップボタン１４ａ〜１４ｃの押し順（左、中、右の順押しや、その逆の逆押しや、左、右、中の挟み押しなど、６種類）等により選択される。
【００４７】
ＲＡＭ５３は、乱数発生回路で生成される各種の内部抽選用の乱数の記憶領域、各種データ（例えば、メダルのクレジット数のデータ、メダルのベット数のデータ、各種入賞フラグ（後述）の状態のデータ、及び入賞結果態様が成立した入賞に基づく払い出しに係るデータなど）を一時的に記憶する記憶領域、ならびに、ＣＰＵ５１の作業領域を備えている。
【００４８】
Ｉ／Ｆ５４は、図示しないローパスフィルタ及びバッファーゲートを介して、投入メダル検出センサ６ａ、スタートレバースイッチ１３ａ、第１リール停止スイッチ１４ｄ、第２リール停止スイッチ１４ｅ、第３リール停止スイッチ１４ｆ、第１リール位置検出センサ６０１、第２リール位置検出センサ６０２、第３リール位置検出センサ６０３、１ベットスイッチ１０ａ、マックスベットスイッチ９ａ、クレジット選択スイッチ１２ａ、払い出しメダル検出センサ６４０、確率設定装置６３０、リセットスイッチ１５ａ、前扉開放スイッチ６７０から出力される各種の信号をＣＰＵ５１に対して出力している。
【００４９】
ここで、投入メダル検出センサ６ａは、メダル投入口６より投入されるメダル数を検出するためのセンサである。スタートレバースイッチ１３ａは、スタートレバー１３が操作されたことを検出するためのスイッチである。第１リール停止スイッチ１４ｄは第１リールストップボタン１４ａが操作されたことを、第２リール停止スイッチ１４ｅは第２リールストップボタン１４ｂが操作されたことを、第３リール停止スイッチ１４ｆは第３リールストップボタン１４ｃが操作されたことを、それぞれ検出するためのスイッチである。
第１リール位置検出センサ６０１は第１リール２０ａの回転位相を、第２リール位置検出センサ６０２は第２リール２０ｂの回転位相を、第３リール位置検出センサ６０３は第３リール２０ｃの回転位相を、それぞれ検出するためのセンサである。
【００５０】
１ベットスイッチ１０ａは１ベットボタンが操作されたことを、マックスベットスイッチ９ａはマックスベットボタン９が操作されたことを、それぞれ検出するためのスイッチである。クレジット選択スイッチ１２ａは、クレジット選択ボタン１２が操作されたことを検出するためのスイッチである。払い出しメダル検出センサ６４０は、メダル払出部８０により受皿１８に払い出されるメダル数を検出するためのセンサである。
【００５１】
確率設定装置６３０は、当該パチスロ遊技機１００における通常遊技状態の各入賞の当選確率を複数段階の何れかに設定するための装置であるとともに、この例においては、特別遊技状態としてのＢＢにおける小役ゲーム時の特定の入賞の当選確率を複数段階の何れかに設定するための装置である。
リセットスイッチ１５ａは、鍵穴１５に差し込まれた鍵が前扉２を開放する時とは逆回り（左回り）に回動されたことを検出し、この検出に基づきパチスロ遊技機１００をリセットするためのスイッチである。なお、リセットスイッチ１５ａが検出信号を遊技制御装置５０に出力することに基づき、例えば、当該パチスロ遊技機１００のエラー状態が解除される。また、前扉開放スイッチ６７０は、前扉２の開放状態を検出するためのスイッチである。
【００５２】
また、Ｉ／Ｆ５４は、ＣＰＵ５１から入力される制御信号を、図示しない出力ポート及びドライバーを介して、演出制御装置７０、遊技進行表示部１１、ベットライン表示部３１、クレジット数表示部７、払出数表示部８、遊技状態表示部６５０、メダル払出部８０、第１リール用モータ６１１、第２リール用モータ６１２、第３リール用モータ６１３、外部信号出力部６２０、および、ストップボタンランプ１４０などに出力している。
なお、外部信号出力部６２０は、遊技制御装置５０からパチスロ遊技機１００の外部に対し出力される外部信号を中継するものである。
【００５３】
乱数発生回路は、所定サイクル時間毎に、乱数を更新（例えば＋１）し、遊技制御装置５０は、スタートレバースイッチ１３ａの検出タイミングで、その時点の乱数をサンプリングする回路を有している。
【００５４】
そして、遊技制御装置５０は、ＣＰＵ５１の処理に基づき、当該遊技制御装置５０に設けられた乱数発生回路により発生（生成）およびサンプリングされた乱数を内部抽選用の乱数として用いて各種入賞の内部抽選を行う（入賞に当選か否かを抽選する抽選手段としての機能を有する）。この場合に、サンプリングされた乱数をＲＡＭ５３に記憶するとともに、ＲＯＭ５２に記憶された各判定値と比較し、例えば、サンプリングされた乱数値と判定値が一致する場合に、一致する判定値に対応した事（各種入賞の当選）が選択されることとなる。
また、ＣＰＵ５１自体でも、上記内部抽選用の乱数以外の乱数を生成する処理を行っている。
【００５５】
なお、ＣＰＵ５１で生成した乱数に基づく抽選は、例えば、リール２０ａ〜２０ｃの停止制御に用いられる停止テーブルが抽選で選択される場合など、所定の確率に基づいてランダムに決定する処理がある場合に用いられる。遊技制御装置５０は、それぞれの抽選用に、例えば、スタートレバースイッチ１３ａからの信号の入力のタイミング等に基づいて、乱数発生回路から発生もしくはＣＰＵ５１におけるソフト処理で生成されて、サンプリングされたそれぞれの乱数をＲＡＭ５３に記憶し、それぞれの抽選のそれぞれの対応項目毎に決められた判定値と比較する。
【００５６】
また、遊技制御装置５０は、各入賞の当選、当選しない場合（外れの場合）のリール２０ａ〜２０ｃの停止制御を、各入賞の当選や外れに対応した上述の停止テーブルに従って行う。
【００５７】
なお、停止制御とは、遊技制御装置５０による第１〜第３リール用モータ６１１〜６１３の制御により、図柄表示窓５内に停止表示される各リール２０ａ〜２０ｃの図柄を決めるものである。
停止制御においては、例えば、各入賞が当選している時に、入賞が成立もしくは成立しやすくするように、入賞が成立する停止図柄が有効ラインより前に停止するタイミングで停止操作が行われた場合に、遊技制御装置５０はリール２０ａ〜２０ｃを停止させるタイミングを遅らせて入賞が成立する停止図柄が有効ラインで停止するようにする停止制御、所謂引込停止制御を行うようになっている。
また、停止制御においては、入賞が当選していない時に、入賞が成立となる停止図柄の組合せとなるの防止するように、入賞が成立する停止図柄が有効ラインに停止するタイミングで停止操作が行われた場合に、遊技制御装置５０はリール２０ａ〜２０ｃを停止させるタイミングを遅らせて入賞が成立する停止図柄が有効ラインを通り過ぎるようにする停止制御、所謂蹴飛ばし停止制御を行うようになっている。
なお、これら引込停止制御、蹴飛ばし停止制御とも、リールストップボタン１４ａ，１４ｂ，１４ｃの操作に対して、上述の停止テーブルの滑りコマ数でリール２０ａ〜２０ｃを滑らせて停止のタイミングを遅らせることで行われる（テーブル方式による停止制御）。また、上述の制御を停止テーブルを用いずに、停止操作時のリール２０ａ〜２０ｃの回転位相に応じて、遊技制御装置５０の制御のもとに所定の滑りコマ数（例えば、４コマ）を上限として、引込停止制御（可能な限り入賞を成立させるようにする制御）及び蹴飛ばし停止制御を行うものとしても良いし（コントロール方式による停止制御）、テーブル方式とコントロール方式を組み合わせても良い。
【００５８】
また、第１〜第３リール用モータ６１１〜６１３をステッピングモータとした場合に、ステッピングモータに出力される制御信号（ドライバからのパルス状の駆動信号）のパルス数により、各リール２０ａ〜２０ｃの位相を決めることができるとともに、第１〜第３リール位置検出センサ６０１〜６０３により、各リール２０ａ〜２０ｃの位相を検出することができ、これらから各リール２０ａ〜２０ｃの位相に基づいて停止図柄を制御することができる。
【００５９】
従って、停止制御においては、第１〜第３リールストップボタン１４ａ〜１４ｃの停止操作により各リール停止スイッチ１４ｄ〜１４ｆが作動し、第１〜第３リール停止スイッチ１４ｄ〜１４ｆからの出力信号が遊技制御装置５０に入力された際に、遊技制御装置５０は、第１〜第３リール位置検出センサ６０１〜６０３から出力される各リール２０ａ〜２０ｃの位相を検出し、上述の停止テーブルのデータに基づいて、リール停止スイッチ１４ｄ〜１４ｆからの停止信号が入力した際の各リール２０ａ〜２０ｃの位相に対して、実際に回転を停止する際の各リール２０ａ〜２０ｃの位相を決め、必要に応じて有効ライン上に停止する予定の図柄よりも先の図柄を有効ライン上に停止させるように回転を延ばす（回転停止を遅らせる）制御を行う。
【００６０】
ここで、本発明に係わる確率設定装置６３０の詳細を説明するが、その前に、パチスロ遊技機における各種入賞について表１を参照して説明する。
【表１】
2004329532.tif 000003
【００６１】
表１に示すように、入賞にはビッグボーナス入賞（ＢＩＧ  ＢＯＮＵＳ、ＢＢ入賞）、レギュラーボーナス入賞（ＲＥＧ  ＢＯＮＵＳ、ＲＢ入賞）、リプレイ入賞（ＲＥＰＬＡＹ）、及び、小役入賞（太鼓小役、はっぴ小役、一番小役およびチェリー小役）が含まれる。
ＢＢ入賞の場合は、有効ライン上に「７，７，７」が揃うことにより入賞結果態様が成立し、１５枚のメダルを払い出す。
ＲＢ入賞の場合は、有効ライン上に「ＢＡＲ，ＢＡＲ，ＢＡＲ」が揃うことにより入賞結果態様が成立し、１５枚のメダルを払い出す。
小役入賞の太鼓小役の場合は、有効ライン上に「太鼓，太鼓，太鼓」が揃うことにより入賞結果態様が成立し、１０枚のメダルを払い出す。
小役入賞のはっぴ小役の場合は、有効ライン上に「はっぴ，はっぴ，はっぴ」が揃うことにより入賞結果態様が成立し、１５枚のメダルを払い出す。
小役入賞の一番小役の場合は、有効ライン上に「一番，一番，一番」が揃うことにより入賞結果態様が成立し、１枚のメダルを払い出す。
また、小役入賞のチェリー小役の場合には、有効ライン上の第１リール２０ａに、「チェリー」を停止表示するだけで入賞結果態様が成立し、その他のリールの停止図柄に拘わらずメダルを払い出す。なお、第１リール２０ａの中段に「チェリー」が停止表示の場合には１枚のメダルを払い出し、第１リール２０ａの上段又は下段に「チェリー」が停止表示の場合には１×２＝２枚のメダルを払い出す（ただし、３枚ベットの場合）。
リプレイ入賞の場合には、有効ライン上に、「リプレイ，リプレイ，リプレイ」が揃うことにより入賞結果態様が成立し、メダルの払い出しは行わないものの、遊技者が新たなベットを行わないでも自動的に当該ゲームと同数のベットを行い、スタートレバー１３を操作するだけで次回のゲーム（再ゲーム；リプレイ）を行うことが可能な状態となる。
【００６２】
なお、これらの各入賞のうち、ビッグボーナス入賞及びレギュラーボーナス入賞等の特別入賞の入賞フラグ（特別入賞を成立可能とする特別入賞の当選権利の記憶）は、該入賞フラグが成立したゲーム以降、該入賞フラグに対応する入賞結果態様が成立してビッグボーナス又はレギュラーボーナスを開始するまで継続して毎回のゲームに持ち越される。また、これに対して、小役入賞及びリプレイ入賞の入賞フラグ（小役入賞、リプレイ入賞を成立可能とするか成立させる当選権利の記憶）は該入賞フラグが成立したゲームのみ有効で、次回以降のゲームには入賞フラグが持ち越されない。
【００６３】
また、特に、停止表示の結果、ＢＢ入賞又はＲＢ入賞の入賞結果態様が導出表示されてＢＢ入賞又はＲＢ入賞が成立した場合には、メダルの払い出しを行う他、ビッグボーナス（ＢＢ）又はレギュラーボーナス（ＲＢ）を発生させるといった特典（特別の遊技価値）を付与する。
つまり、入賞のうち、ＢＢ入賞とＲＢ入賞は、その成立により遊技者に特別の遊技価値（ＢＢ或いはＲＢ自体、並びに、ＢＢ或いはＲＢの発生に基づき付与する価値）を付与可能となる特別入賞となっていて、これら特別入賞は成立することにより所定の価値に加えて特別の遊技価値を付与可能となっている。
【００６４】
すなわち、ＲＢ入賞が成立した場合には、１５枚のメダルを払い出すとともにＲＢを開始する。
このＲＢ中には、ＪＡＣゲームと称される特別ゲームを所定回数（例えば、１２回）を上限に実行可能となる。
ＪＡＣゲームでは、メダルのベット数（上限）が、例えば、１枚となり、この１ベットに対応する有効ライン（例えば、中段横ライン）上にＪＡＣ図柄が揃ったとき（例えば、リプレイ入賞の入賞結果態様が成立したとき）にＪＡＣ入賞となり、このＪＡＣ入賞により所定数（例えば、１５枚）のメダルを払い出す。
このＲＢは、該ＲＢ中にＪＡＣゲームを１２回行うか、又は、該ＲＢ中にＪＡＣ入賞が８回成立するか、の何れかの条件が成立することにより終了する。
【００６５】
また、ＢＢ入賞が成立した場合には、所定数（例えば、１５枚）のメダルを払い出すとともにＢＢを開始する。このＢＢ中は、小役ゲームと称される特別ゲームを所定回数（例えば、３０回）を上限に実行可能となる。この小役ゲームでは、通常のゲームに比べて高い確率で特定の小役入賞（メイン小役入賞）が発生する。従って、特別遊技状態としてのＢＢが発生した場合には、特定の入賞の当選確率が高められたゲーム（小役ゲーム）を複数回実行可能となる。さらに、ＢＢ中は、前述したＲＢを所定回数（例えば、３回）を上限に実行可能となる。
ＢＢ中にＲＢを開始する条件は、小役ゲームの結果、有効ライン上に特定の図柄が揃って（例えば、リプレイ入賞の入賞結果態様が成立して）ボーナスイン（ＪＡＣＩＮともいう）となることである。そして、このボーナスインにより、所定数（本実施の形態の場合、例えば、２枚（なお、０枚でも良い））のメダルを払い出すとともに、小役ゲームを一時中断してＲＢを開始する。
このようなＢＢは、例えば、該ＢＢ中に小役ゲームを３０回行うか、又は、該ＢＢ中にＲＢを３回行うか、の何れかの条件が成立することにより終了する。
なお、ＢＢ入賞、ＲＢ入賞が成立した場合に、メダルの払い出し（所定の価値の付与）を行わずに、特典（特別の遊技価値）のみを付与しても良い。
【００６６】
なお、以上のことからこの例のパチスロ遊技機１００は、複数の図柄を変動表示可能な変動表示手段２０（リール２０ａ〜２０ｃ、リール用モータ６１１〜６１３）と、前記変動表示手段２０での変動表示を伴うゲームの実行毎に複数種の入賞の抽選を行う抽選手段（遊技制御装置５０）とを備え、前記抽選手段の抽選結果が前記複数種の入賞のうち特別入賞の当選となったことに基づき、当該当選した特別入賞に対応する図柄を停止し得るように前記変動表示手段２０の停止制御を行い、前記変動表示手段２０に該特別入賞に対応する図柄が停止した場合に、遊技者が利益を獲得しやすい特別遊技状態を発生するようにしたスロットマシンである。
【００６７】
そして、確率設定装置６３０は、通常遊技状態における各入賞（主に特別入賞であるＢＢ入入賞及びＲＢ入賞）の当選確率の設定変更（通常遊技状態の特別入賞当選確率の設定変更）をするものであり、例えば、表２に示すように、ＢＢ入賞及びＲＢ入賞の当選確率を設定１〜設定６まで変更可能となっている。なお、表２には、設定１〜設定６までのＢＢ入賞とＲＢ入賞の当選確率だけを示したが、他の小役入賞の全部もしくは一部の当選確率が設定１〜設定６の各設定毎に異なるものとしても良い。
【表２】
2004329532.tif 000004
設定１〜設定６の間で、設定値を変更することにより、ＢＢ入賞の当選確率を例えば１／２９７〜１／２４０まで６段階で変更可能とされ、同時にＲＢ入賞の当選確率を例えば１／４２０〜１／３６４まで６段階で変更可能とされている。
すなわち、確率設定装置６３０が接続された遊技制御装置５０は、記特別入賞の当選確率を外部操作に基づき複数段階で設定変更可能な特別入賞確率設定手段となる。
【００６８】
また、この例の確率設定装置６３０は、上述の通常遊技状態における特別入賞を含む各入賞の当選確率の設定変更とは別に、特別遊技状態における特定の入賞の当選確率の設定変更（特別遊技状態の特定入賞当選確率の設定変更）をできるようになっている。
この例の特定の入賞とは、特別遊技状態であるＢＢ中の小役ゲームにおいて、通常遊技状態の当選確率より当選確率を高くされ、小役ゲーム中における当選確率が最も高くされたメイン小役である太鼓小役入賞である。
【００６９】
そして、特別遊技状態であるＢＢ中の小役ゲームにおける太鼓小役入賞の当選確率は、表３に示すように、設定１〜設定６まで変更可能となっている。
【表３】
2004329532.tif 000005
そして、設定１〜設定６の間で、設定値を変更することにより、太鼓小役入賞の当選確率を例えば１／２．６２〜１／１．４６まで６段階で変更可能とされている。なお、この特別遊技状態であるＢＢ中の小役ゲームにおける特定の入賞の当選確率の設定変更は、後述するように通常遊技状態における特別入賞の当選確率の設定変更とは、別に独立して行うことが可能とされている。
また、ＢＢ中の小役ゲームにおける太鼓小役以外の他の小役入賞及びジャックイン（ＪＡＣＩＮ、ボーナスイン）入賞の当選確率を設定１の場合だけ、表３に示したが、これらの入賞の当選確率は、それぞれ設定１〜設定６で全て同じとしても良いし、一部同じとしても良いし、それぞれ異なるものとしても良い。
【００７０】
また、ＢＢ中の小役ゲームにおける特定の入賞の当選確率を変更した場合に、小役ゲーム中における特定の入賞の当選及び当選した入賞の成立確率が高められ（特に取りこぼしのない小役の場合に、当選確率と成立確率とは等しくなる）、入賞の成立確率が高められることにより、入賞の成立に基づくメダルの払い出し枚数、すなわち、遊技者が獲得する利益量が増加することになる。従って、ＢＢ中の小役ゲームにおける特定の入賞の当選確率の設定値は、前記特別遊技状態の発生に基づき遊技者が獲得する利益量に関わる設定値となり、確率設定装置６３０が接続された遊技制御装置５０は、特別入賞確率設定手段の設定変更とは別に設定変更可能に構成され、前記特別遊技状態の発生に基づき遊技者が獲得する利益量に関わる設定値を外部操作に基づき複数段階で設定変更可能な利益量設定手段となる。
また、利益量設定手段である確率設定装置６３０は、特別遊技状態の発生に基づき高められる特定の入賞（例えば、太鼓小役入賞）の当選確率を外部操作に基づき複数段階で設定変更可能な特定入賞確率設定手段を含むことになる。
【００７１】
そして、確率設定装置６３０は、図３及び図４に示すように、パチスロ遊技機１００の各装置に電力を供給する電源ボックスの操作盤６９０に備えられる設定装置６８０に設けられている。確率設定装置６３０は、設定キースイッチ６３１と、設定スイッチ（ボタン）６３２とを備えている。設定キースイッチ６３１は、図４に示すように鍵穴６３３を有し、該鍵穴６３３に図示しないキーを差し込むことにより、ＯＮ、ＯＦＦの操作が可能となる周知のものであり、基本的にはロックとして機能するが開閉ではなくスイッチのＯＮ、ＯＦＦを行えるようになっている。
【００７２】
そして、後述するように電源をＯＮにするに際し、設定キースイッチ６３１にキーを差し込んでＯＦＦからＯＮしておくと、電源投入時に設定キースイッチ６３１から操作信号が遊技制御装置５０に入力し、遊技制御装置５０の制御によりゲームの実行が可能なゲームモード（遊技状態）となる前に、通常遊技状態におけるＢＢ入賞及びＲＢ入賞を含む入賞の当選確率の設定変更と、特別遊技状態における特定の入賞の当選確率の設定変更が可能な設定変更モード（設定変更状態）となる。
設定スイッチ６３２は、押しボタン式のスイッチとなっており、押下されると信号を出力するようになっているが、遊技制御装置５０の制御により、電源投入時に設定キースイッチ６３１をＯＮとして設定変更モードとなった場合に遊技制御装置５０に入力される信号が有効とされ、設定キースイッチ６３１をＯＦＦとしてゲームモードとなった場合に遊技制御装置５０に入力される信号が無効とされようになっている。そして、設定スイッチ６３２が有効な状態で、現状が設定１〜設定５までの場合は、設定スイッチ６３２を押下する度に設定値が１つ増加するようになっており、設定６の状態で設定スイッチ６３２を押下すると設定１に戻るようになっている。
【００７３】
また、通常遊技状態におけるＢＢ及びＲＢを含む入賞の当選確率の設定変更と、特別遊技状態における特定の入賞の当選確率の設定変更との両方に、これら設定キースイッチ６３１と設定スイッチ６３２とからなる確率設定装置６３０が用いられるようになっている。なお、この例においては、通常遊技状態の特別入賞当選確率の設定変更と特別遊技状態の特定入賞当選確率の設定変更との切り替えを後述するようにスタートレバー１３の操作により行えるようになっており、１つの確率設定装置６３０により、通常遊技状態の特別入賞当選確率の設定変更と特別遊技状態の特定入賞当選確率の設定変更とを別々に行えるようになっている。なお、通常遊技状態における当選確率の設定変更用の確率設定装置と、特別遊技状態における当選確率の設定変更用の確率設定装置とを別々に設けても良い。
【００７４】
なお、電源装置の操作盤６９０の設定装置６８０には、確率設定装置６３０の他に、出メダル数表示切替スイッチ６８１、自動払出切替スイッチ６８２、打ち止め切替スイッチ６８３が備えられている。出メダル数表示切替スイッチ６８１は、後述するように特別遊技状態の特定入賞の当選確率の設定値に基づいて、特別遊技状態（ＢＢ）中に払い出されたメダルから投入したメダルを差し引いた出メダル数の予想値（例えば、出メダル数の予想平均値）を算出し、表示装置４（画像表示装置）に表示するか否かを切り替えるスイッチである。なお、予想平均値は、具体的には、特別遊技状態（ＢＢ）において特定の入賞の確率設定が変更可能なＢＢ中の小役ゲームの各入賞の当選確率だけではなく、その他に、例えば、各入賞の成立時のメダルの払出枚数、ＢＢ中のＪＡＣゲームによるメダルの払出枚数、小役ゲームの実行回数の平均値、ＪＡＣゲームの実行回数の平均値等に基づいて算出されるが、例えば、小役ゲームの実行回数等は、遊技者が技術介入してＪＡＣＩＮの成立を防止する所謂リプレイ外し等も考慮されるものとしても良い。
【００７５】
なお、上述のように利益量設定手段となる確率設定装置６３０が接続された遊技制御装置５０によりＢＢ中の特定の入賞である太鼓小役入賞の当選確率の設定値を変更することによりＢＢ中の出メタル数が変化することになり、ＢＢ中の出メダル数は、利益量設定手段での設定値に関する情報となる。従って、遊技制御装置５０で確率設定装置６３０を用いた外部操作により設定変更可能な設定値に基づいて求められる出メダル数を遊技制御装置５０の制御下にある演出制御装置７０の制御に基づいて表示する表示装置４は、前記利益量設定手段での設定値に関する情報を遊技者に報知可能な報知手段となる。また、ＢＢ中の出メダル数を表示装置４に表示するか否かを外部操作により変更可能とする出メダル数表示切替スイッチ６８１は、前記報知手段が報知する状態と報知しない状態とに外部操作に基づき切替可能な報知有無切替手段となる。
【００７６】
自動払出切替スイッチ６８２は、クレジット状態でゲームを行っている場合に、特別遊技状態が終了した際に、クレジットされたメダルを自動的に払い出すか否かを切り替えるスイッチである。
打ち止め切替スイッチ６８３は、特別遊技状態が終了してゲームオーバーとなった際に、外部操作なしに自動的に通常遊技状態に復帰するか否かを切り替えるスイッチである。
【００７７】
また、操作盤６９０には、電源装置の電源スイッチ６９１及びヒューズ６９２が備えられている。
また、操作盤６９０は、パチスロ遊技機１００の内部に設けられており、前扉２の鍵穴１５に鍵を挿入するとともに回して前扉２のロックを解除し、前扉２を開放することにより操作可能となる。
【００７８】
また、演出制御装置７０は、ＣＰＵ（Ｃｅｎｔｒａｌ  Ｐｒｏｃｅｓｓｉｎｇ  Ｕｎｉｔ）７０１、ＲＯＭ（Ｒｅａｄ  ｏｎｌｙ  ｍｅｍｏｒｙ）７０２、ＲＡＭ（Ｒａｎｄｏｍ  Ａｃｃｅｓｓ  ｍｅｍｏｒｙ）７０３等を備えて構成され、遊技制御装置５０の制御下で或いは独自の制御により、表示装置４に画像信号を出力している。
【００７９】
また、演出制御装置７０は、遊技制御装置５０の制御下で或いは独自の制御により音出力部６０に音信号を出力している。
また、演出制御装置７０は、遊技制御装置５０の制御下で或いは独自の制御により枠装飾装置６６０（装飾表示部６６１〜６６３）に、枠装飾装置６６０に備えられたランプやＬＥＤのＯＮ、ＯＦＦを行うための制御信号を出力している。
また、演出制御装置７０は、遊技制御装置５０の制御下で或いは独自の制御によりリール裏面ランプ６６５の各ランプのＯＮ、ＯＦＦを行うための制御信号を出力している。
【００８０】
演出制御装置７０は、特別入賞や小役入賞の当選に伴う画像表示を表示装置４で行うグラフィック機能を有しており、図示しないＶＤＣ（Ｖｉｄｅｏ  Ｄｉｇｉｔａｌ  Ｃｏｎｔｒｏｌｌｅｒ）等のビデオ信号を出力するための回路を備えている。また、演出制御装置７０は、音信号を出力するためのサウンド機能を有しており、図示しない音を出力するための回路を備えている。
【００８１】
そして、ＲＯＭ７０２には、表示装置４で画像表示を行うための各種の画像データや文字を表示するためのフォントデータ等が記憶されている。また、ＲＯＭ７０２には、効果音、音楽、音声等の音データが記憶されている。
そして、このような演出制御装置７０においては、表示装置４と、枠装飾装置６６０の各ランプ、ＬＥＤ等と、リール裏面ランプ６６５等を用いて各種演出表示を行うようになっている。また、演出制御装置７０は、表示だけではなく、音出力部６０を用いて効果音や音楽や音声等により演出を行う。
【００８２】
また、表示装置４は、後述するように確率設定装置６３０のモニタとしての機能を有するようになっている。すなわち、上述の設定変更モードにおいて、遊技制御装置５０から演出制御装置７０に変更された確率設定の設定値等のデータが送信され、演出制御装置７０は、後述するように遊技制御装置５０から送信されたデータに基づいて表示装置４に変更前の設定値の表示を行うとともに、設定変更が行われた場合は、変更された設定値を表示する制御を行う。また、上述の出メダル数表示切替スイッチ６８１により出メダル数を表示するようになっている場合には、例えば、遊技制御装置５０から送信された設定値を示すデータに基づいて、特別遊技状態における出メダル数の予想値として、例えば、設定された当選確率に基づく出メダル数の平均値を表示装置４に表示するようになっている。
【００８３】
パチスロ遊技機１００は、以上のように構成されていて、遊技制御装置５０等の制御系により、以下に説明する制御を行うようになっている。
遊技制御装置５０においては、電源投入時に、電源投入処理が行われる。以下に図６に示す電源投入処理のフローチャートと、図７〜図９に示す電源投入処理における電源投入と、設定キースイッチ６３１のＯＮ／ＯＦＦと、設定スイッチ６３２のＯＮ／ＯＦＦと、スタートレバースイッチ１３ａのＯＮ／ＯＦＦと、表示装置４の表示内容等との関係を示すタイミングチャート、図１０及び図１１に示す表示装置４の表示内容を参照して説明する。
なお、上述の確率設定装置６３０による確率設定の設定変更は、電源投入時に可能となっており、電源投入処理において、確率設定装置６３０の設定キースイッチ６３１及び設定スイッチ６３２を用いた入賞の当選確率の設定変更を行う処理が行われる。
【００８４】
まず、電源投入時に初期化処理が行われる（ステップＳ１）。初期化処理においては、例えば、ＲＡＭ５３の各記憶領域の初期化やリール用モータ６１１〜６１３の初期化等が行われる。例えば、ＲＡＭ５３において、データの消去や、ＲＯＭ５２に記憶されたデータに基づいてデフォルトのデータの書込等が行われる。
また、遊技制御装置５０においては、通常遊技状態のＢＢ入賞及びＲＢ入賞の当選確率を含む各入賞の当選確率に対応する設定値（以下、ボーナス（確率）設定値と称する）及び特別遊技状態の特定入賞の当選確率の設定値（以下、出メダル数設定値と称する）が例えば、電源装置がＯＦＦの状態で図示しない電池やその他の電源により常時電源を供給されたメモリや、不揮発性メモリに記憶されており、電源ＯＦＦ時にボーナス設定値及び出メダル数設定値がバックアップされた状態となっている。そして、初期化処理において、遊技制御装置５０は、現状のボーナス設定値及び出メダル数設定値を読み出してＲＡＭ５３の所定の領域に記憶するとともに、演出制御装置７０に現状のボーナス設定値及び出メダル数設定値を示すボーナス設定値情報及び出メダル数設定値情報を送信する。なお、演出制御装置７０において、電源ＯＦＦ時に遊技制御装置５０と同様に現状のボーナス設定値及び出メダル設定値がバックアップ（記憶）されている場合には、初期化処理において、遊技制御装置５０から演出制御装置７０にボーナス設定値情報及び出メダル数設定値情報を送信する必要はない。
【００８５】
初期化処理の次ぎに、設定キースイッチ６３１がＯＮとなっているか否かが判定される（ステップＳ２）。すなわち、遊技制御装置５０は、電源投入時に設定キースイッチ６３１から設定キースイッチ６３１がＯＮとなっていることを示す信号が入力しているか否かを判定する。
なお、遊技店の店員等のパチスロ遊技機１００の管理者は、通常遊技状態における特別入賞当選確率の設定変更や、特別遊技状態における特定入賞当選確率の設定変更を行う場合に、パチスロ遊技機１００の電源スイッチ６９１をＯＦＦからＯＮとする前（電源投入前）に、設定キースイッチ６３１の鍵穴６３３に所定のキーを挿入してキーを回すことにより設定キースイッチ６３１をＯＮとする操作を行うものとなっている。
【００８６】
そして、電源投入時に設定キースイッチ６３１がＯＮとなっていなければ、電源投入処理を終了して、遊技制御装置５０は、パチスロ遊技機１００においてゲームを実行可能なゲームモードとする。すなわち、遊技制御装置５０の制御が、当選確率の設定を変更する設定変更モードとならずにパチスロ遊技機１００におけるメインの制御としてのゲームの実行を制御するゲームモードとなる。
そして、図７及び図８に示すように、電源投入時に既に設定キースイッチ６３１がＯＮとなっている場合には、設定変更モードとなる。この際には、通常遊技状態の特別入賞当選確率の設定変更を、特別遊技状態の特定入賞当選確率の設定変更より先に優先して行えるようになっている。すなわち、電源投入後は、通常遊技状態のＢＢ入賞及びＲＢ入賞の当選確率を含む各入賞の確率設定を行う状態となる。
【００８７】
従って、設定キースイッチ６３１は、確率設定装置６３０が接続された前記特別入賞確率設定手段及び利益量確率設定手段としての遊技制御装置５０を、当選確率の設定変更を可能とする設定変更状態（設定変更モード）に移行させるためのキー操作式の設定装置となる。そして、遊技制御装置５０は、設定変更状態において、通常遊技状態におけるＢＢ入賞及びＲＢ入賞を含む各種入賞の当選確率の設定を外部操作に基づいて変更する前記特別入賞確率設定手段による設定変更操作を、ＢＢ中の特定入賞の当選確率の設定を外部操作に基づいて変更する利益量設定手段（特定入賞確率設定手段）による設定変更操作に対して優先的に行わせる設定変更操作優先制御手段となる。
【００８８】
そして、遊技制御装置５０から演出制御装置７０に、現状の設定値のデータを含む確率設定変更用の画像表示を行うように指示する表示制御コマンドが送信される。なお、現状のボーナス設定値及び出メダル数設定値は、上述のように遊技制御装置５０にバックアップされており、初期化処理において、演出制御装置７０に設定値情報として送信されている。そして、演出制御装置７０においては、予めＲＯＭ７０２等に記憶されていた確率設定変更用の画像データに、遊技制御装置５０から送信された確率の設定値に基づく表示データを加えて表示装置４（画像表示装置）に表示する。
【００８９】
例えば、図１０（Ａ）に示すように、ボーナス設定値の数値と、出メタル数設定値の数値とを表示する。なお、上述のように電源投入時には、通常遊技状態の特別入賞当選確率のボーナス設定値を優先して変更できるようになっているので、現在変更可能な設定値がボーナス設定値であることを指示するために、設定変更モードにおける表示装置４の最初の表示（後述するようにスタートレバースイッチ１３ａがＯＮとなるまでの表示）では、ボーナス設定値が強調表示される。図１０（Ａ）においては、現状のボーナス設定値である「１」を囲む枠が太くなるように表示されているが、実際の表示では、ボーナス設定値という文字や、ボーナス設定値である数字や、この数字を囲む枠等のボーナス設置値の周囲の表示を他の文字より明るく表示させたり、他の文字と色を替えたりしても良く、現状で変更可能なのがボーナス設定値であることがわかるようにボーナス設定値に関する表示の少なくとも一部が強調表示されれば良い。
【００９０】
また、表示装置４の確率設定変更用の表示（図１０に示される表示）には、設定スイッチ６３２の操作により設定値を変更可能なことと、スタートレバー１３（スタートレバースイッチ１３ａ）の操作により設定値が確定することを案内する表示が含まれる。
次ぎに、遊技制御装置５０においては、設定スイッチ６３２がＯＮとされた際に設定スイッチ６３２から出力される操作信号が入力したか否か、すなわち、設定スイッチ６３２がＯＮとされたか否かを判定する（ステップＳ３）。そして、設定スイッチ６３２がＯＮとならない場合には、次ぎに、遊技制御装置５０は、スタートレバースイッチ１３ａがＯＮとされた際にスタートレバースイッチ１３ａから出力される操作信号が入力しているか否か、すなわち、スタートレバー１３が操作されたか否かを判定する（ステップＳ６）。そして、スタートレバースイッチ１３ａがＯＮとならない場合には、ステップＳ２に戻る。従って、遊技制御装置５０は、設定スイッチ６３２及びスタートレバースイッチ１３ａとのうちの一方がＯＮとなるのを待機する状態となる。なお、設定スイッチ６３２及びスタートレバースイッチ１３ａは、操作された際にＯＮとなり、その後直ぐに自動的にＯＦＦとなる構成となっている。
【００９１】
そして、設定スイッチ６３２がＯＮとなった場合には、遊技制御装置５０のＲＡＭ５３に記憶されているボーナス設定値を現状の設定値から１つ増加して（現状の設定値が６の場合には１に変更）、増加した設定値に更新する（ステップＳ４）。次ぎに遊技制御装置は更新されたボーナス設定値を示す確率設定値情報を演出制御装置７０に送信するとともに、表示装置４に更新されたボーナス設定値を表示するように指示する表示制御コマンドを送信する（ステップＳ５）。
そして、演出制御装置７０においては、遊技制御装置５０から送信された表示制御コマンドに基づいて、現在表示されているボーナス設定値である数字に替えて、遊技制御装置５０から送信された確率設定値情報に基づいて更新されたボーナス設定値の数字を表示する。
そして、遊技制御装置５０においては、スタートレバースイッチ１３ａから操作信号が入力されるまで、設定スイッチ６３２から信号が入力される度に、ステップＳ４のボーナス設定値（確率設定値）の更新と、ステップＳ５のボーナス設定値を示す確率設定値情報の送信とを繰り返し行う。なお、この例においては、ボーナス設定位置を変更する状態と、出メダル数設定値を変更する状態との切替にスタートレバースイッチ１３ａを用いている。すなわち、ボーナス設定値の変更と、出メダル数設定値の変更との切替に新たにスイッチを設けずに、既存スタートレバースイッチ１３ａ（スタートレバー１３）を用いるようになっている。なお、設定変更モードにおいては、スタートレバースイッチ１３ａのＯＮによりゲームが開始することはない。
【００９２】
そして、例えば、図７及び図８に示すように、設定スイッチ６３２を管理者が二回操作して、設定スイッチ６３２から遊技制御装置５０に２回操作信号が入力すると、例えば、１だったボーナス設定値が２度更新されて（１つずつのカウントアップが２度行われて）ボーナス設定値が３となる。そして、遊技制御装置５０から上述の確率設定情報が送信された演出制御装置７０の制御により表示装置４では、図１０（Ｂ）に示すように、ボーナス設定値となる数字が最初の１から２を経て３となった状態に表示される。なお、設定スイッチ６３２を押すたびにボーナス設定値を１つずつカウントアップし、更新されたボーナス設定値を表示装置４に表示する処理が行われるが、ボーナス設定値が上限値（６）の状態で、設定スイッチ６３２から遊技制御装置５０に操作信号が入力した場合にボーナス設定値は下限値である１とされる。
【００９３】
そして、スタートレバー１３が管理者に操作されて、ステップＳ６において、遊技制御装置５０にスタートレバースイッチ１３ａから操作信号が入力された場合には、ボーナス設定値が確定されるとともに、通常遊技状態におけるＢＢ入賞及びＲＢ入賞を含む各入賞の当選確率を決めるためのボーナス設定値を変更する状態から、特別遊技状態としてのＢＢ中の小役ゲームにおける特定の小役としての太鼓小役入賞の当選確率を決めるための出メダル数設定値を変更する状態に移行する。
【００９４】
また、遊技制御装置５０にスタートレバースイッチ１３ａから操作信号が入力した場合には、遊技制御装置５０から演出制御装置７０にボーナス設定値の変更画面から出メダル数設定値の変更画面とするように指示する表示制御コマンドが送信される。そして、演出制御装置７０は、出メダル数設定値が変更されることを報知するためにボーナス設定値に係わるが表示が強調表示されている表示から図１０（Ｃ）に示すように出メダル数設定値に係わる表示（出メダル数設定値という文字の表示、出メダル数設定値となる数字の表示、それらの表示の周囲の表示等）が強調されている表示に切り替える。なお、出メダル数設定値に係わる表示の強調表示は、ボーナス設定値に係わる強調表示と同様の強調表示で行うことができる。
【００９５】
次ぎに、スタートレバースイッチ１３ａがＯＮとなった後に設定キースイッチ６３１がＯＮか否かが判定される（ステップＳ７）。ここで、設定スイッチ６３２、スタートレバースイッチ１３ａ（スタートレバー１３）、設定キースイッチ６３１を操作しなければ、ステップＳ７、ステップＳ８（後述する設定スイッチ６３２のＯＮ判定）、ステップＳ１１（後述するスタートレバースイッチ１３ａのＯＮ判定）を繰り返す状態となり、設定スイッチ６３２、スタートレバースイッチ１３ａの何れかがＯＮとなるか、設定キースイッチ６３１がＯＦＦとなるかを待機する状態となる。そして、ボーナス設定値の設定変更が終了し、管理者が設定キースイッチ６３１をＯＦＦとした場合に、遊技制御装置５０において設定変更モードが終了しゲームモードとなる。
以上のようにスタートレバースイッチがＯＮとなることによりボーナス設定値が確定した段階で、電源投入時にＯＮだった設定キースイッチ６３１がＯＦＦとされた場合には、出メダル数設定値の変更操作を行うことなく、遊技制御装置５０は、設定変更モードからゲームモードに移行する。
例えば、図７に示すように、スタートレバースイッチ１３ａが１回ＯＮとなった後に、設定キースイッチ６３１がＯＦＦとされると、そこで当選確率の設定変更が終了する。
【００９６】
この場合には、一般的なパチスロ遊技機と同様に、通常遊技状態のＢＢ入賞及びＲＢ入賞の当選確率が、例えば、表２に示すように、変更（更新）されて確定したボーナス設定値に基づいて決定され、決定された当選確率に基づいて入賞の抽選時に用いられる判定値の数が決定される。また、このボーナス設定値に対応して決定されるのは、ＢＢ入賞及びＲＢ入賞の当選確率だけではなく、例えば、各種小役入賞やリプレイ入賞の通常遊技状態時における当選確率もボーナス設定値に対応して決定されるものとしても良い。また、ボーナス設定値に対応して各種入賞以外に、例えば、アシストタイムやリプレイタイムやチャンスタイム等の特殊な状態のゲームを行うような遊技機において、特殊な状態のゲームを行うか否かの確率が決定されるものとしても良いし、当選した特別入賞の成立を保留する制御を行うとともに、特別入賞の複数の当選権利（複数の特別入賞を成立可能とする権利）を記憶可能な所謂ストック機において、当選した特別入賞の成立の保留制御を解除する確率が決定されるものとしても良い。
【００９７】
このパチスロ遊技機１００においては、上述のようなボーナス設定値とは、全く別に、ＢＢ中の小役ゲームにおいて最も当選確率が高いメイン小役入賞の当選確率を決める出メダル数設定値を設定変更可能となっているが、上述のようにボーナス設定値だけを変更して設定変更を終了することができる。すなわち、一回出メダル数設定値を決めてしまった後に、出メダル数設定値は変更せずに本発明以外の他のパチスロ遊技機と同様にボーナス設定値だけを変更するような遊技店においては、他のパチスロ遊技機と同様にボーナス設定値だけを変更して処理を終了することができ、当選確率の設定変更に基づく遊技店の経営管理を従来と同様に行うことも可能となる。
【００９８】
設定キースイッチ６３１をＯＦＦとしなかった場合には、次ぎに、遊技制御装置５０においては、ステップＳ３と同様に設定スイッチ６３２がＯＮとされたか否かを判定する（ステップＳ８）。そして、設定スイッチ６３２がＯＮとならない場合には、次ぎに、ステップＳ６と同様にスタートレバースイッチ１３ａがＯＮか否かを判定する（ステップＳ１１）。そして、スタートレバースイッチ１３ａがＯＮとならなければ、ステップＳ７に戻る。従って、設定キースイッチ６３１をＯＦＦとしない場合に、遊技制御装置は、設定スイッチ６３２及びスタートレバースイッチ１３ａとのうちの一方がＯＮとなるのを待機する状態となる。
【００９９】
そして、設定スイッチ６３２がＯＮとなった場合には、遊技制御装置５０のＲＡＭ５３に記憶されている出メダル数設定値を現状の設定値から１つ増加して、増加した設定値に更新する（ステップＳ９）。次ぎに遊技制御装置５０は更新された出メダル数設定値を示す出メダル数設定値情報を演出制御装置７０に送信するとともに、表示装置４に更新された出メダル数設定値を表示するように指示する表示制御コマンドを送信する（ステップＳ１０）。
そして、演出制御装置７０においては、遊技制御装置５０から送信された表示制御コマンドに基づいて、現在表示されている出メダル数設定値である数字に替えて、遊技制御装置５０から送信された出メダル数設定値情報に基づいて更新された出メダル数設定値の数字を表示する。
そして、遊技制御装置５０においては、スタートレバースイッチ１３ａから操作信号が入力されるまで、設定スイッチ６３２から信号が入力される度に、ステップＳ９の出メダル数設定値（確率設定値）の更新と、ステップＳ１０の出メダル数設定値を示す出メダル数設定値情報の送信とを繰り返し行う。
【０１００】
そして、例えば、図８に示すように、設定スイッチ６３２を管理者が２回操作して、設定スイッチ６３２から遊技制御装置５０に２回操作信号が入力すると、例えば、１だった出メダル数設定値が２度更新されて（１つずつのカウントアップが２度行われて）出メダル数設定値が３となる。そして、遊技制御装置５０から上述の確率設定情報が送信された演出制御装置７０の制御により表示装置４では、図１０（Ｄ）に示すように、出メダル数設定値となる数字が最初の１から２を経て３となった状態に表示される。なお、設定スイッチ６３２を押すたびに出メダル数設定値を１つずつカウントアップする処理が行われるが、出メダル数設定値が上限値（６）の状態で、設定スイッチ６３２から遊技制御装置５０に操作信号が入力した場合に出メダル数設定値は下限値である１とされる。
【０１０１】
そして、スタートレバー１３が管理者に操作されて、ステップＳ１０において、遊技制御装置５０にスタートレバースイッチ１３ａから操作信号が入力された場合には（ステップＳ１１）、出メダル数設定値が確定されるとともに、特定遊技状態としてのＢＢ中の小役ゲームにおける特定の小役としての太鼓小役入賞の当選確率を決める出メダル数設定値を変更する状態から、通常遊技状態におけるＢＢ入賞及びＲＢ入賞を含む各入賞の当選確率を決めるボーナス設定値を変更する状態に移行する。
すなわち、スタートレバー１３を操作するたびにボーナス設定値を変更する状態と出メダル数設定値を変更する状態とを繰り返し変更することができ、各設定値を変更する際に、設定を間違えたような場合は、簡単に前の状態に戻って修正を行うことができる。
【０１０２】
そして、出メダル数設定値が確定した場合には、確定した出メダル数設定値の値に対応して、表３に示すようにメイン小役である太鼓小役入賞の当選確率が確定し、当選確率に対応してＢＢ中の小役ゲームのける入賞の抽選に用いられるメイン小役の太鼓小役入賞の判定値の数が決定され、抽選時の太鼓小役入賞の当選確率が出メダル数設定値に対応して決定された当選確率となる。
次ぎに、スタートレバースイッチ１３ａがＯＮとなった後にステップＳ２に戻り、ここで、設定スイッチ６３２、スタートレバースイッチ１３ａ（スタートレバー１３）、設定キースイッチ６３１を操作しなければ、ステップＳ２、ステップＳ３、ステップＳ６を繰り返す状態となり、設定スイッチ６３２のＯＮ、スタートレバースイッチ１３ａのＯＮ、設定キースイッチ６３１のＯＦＦの何れかを待機する状態となる。ここで、ボーナス設定値及び出メダル数設定値の設定変更が終了し、管理者が設定キースイッチ６３１をＯＦＦとした場合に、上述のように遊技制御装置５０において設定変更モードが終了しゲームモードとなる。
【０１０３】
なお、上述のように演出制御装置７０は、確率設定装置６３０が接続されて特別入賞確率設定手段及び利益量設定手段として機能する遊技制御装置５０において行われる設定変更の情報としての設定変更されるボーナス設定値及び出メダル数設定値を表示装置４（ゲームに関わる演出表示を行う画像表示装置）に表示させることから、記特別入賞確率設定手段および利益量設定手段の設定変更情報を前記画像表示装置に表示させる表示制御手段となる。
また、図６に示されるフローチャートでは、スタートレバースイッチ１３ａをＯＮとして、変更したボーナス設定値や出メダル数設定値を確定しなくとも設定キースイッチ６３１をＯＦＦとして、設定変更モードを終了することが可能となっているが、ボーナス設定値や出メダル数設定値を更新した後に、スタートレバースイッチ１３ａをＯＮとすることなく、設定キースイッチ６３１をＯＦＦとした場合には、更新したボーナス設定値や出メダル数設定値を有効として更新したボーナス設定値や出メダル数設定値を確定するものとしても良いし、更新したボーナス設定値や出メダル数設定値を無効として、設定変更前のボーナス設定値や出メダル数設定値に戻すものとしても良い。なお、設定変更前のボーナス設定値や出メダル数設定値に戻す場合には、例えば、遊技制御装置５０からの表示制御コマンドに基づいた演出制御装置７０の制御により表示装置４で、設定変更が無効となったことを報知するとともに、現在のボーナス設定値及び出メダル数設定値を報知する表示を行っても良い。
【０１０４】
そして、設定変更モードが終了した場合に、遊技制御装置５０は、ゲームモードに移行し、上述の設定（確定）された出メタル数設定値に基づくメイン小役の当選確率に基づいてＢＢ中に遊技者が獲得可能なメダル数（出メダル数）の予想値（例えば、ＢＢ中に遊技者が獲得可能なメダル数の平均値）を図１１（Ｅ）に示すように表示装置４に表示させるための表示制御コマンドを演出制御装置７０に送信する。そして、演出制御装置７０の制御により表示装置４は、予想値を表示する。なお、出メダル数の予想値は、予め、出メダル数設定値毎に算出しておき、例えば、遊技制御装置５０のＲＯＭ５２もしくは演出制御装置７０のＲＯＭ７０２に出メダル数設定値に対応して記憶されており、演出制御装置７０は、ＲＯＭ７０２に記憶された予想値（出メダル数）もしくは遊技制御装置５０から送信された予想値を表示装置４に表示する。
【０１０５】
なお、表示装置４への出メダル数の予想値の表示は、上述の出メダル数表示切替スイッチ６８１がＯＮとなっている場合にだけ行われ、ＯＦＦの場合は行われない。すなわち、遊技制御装置５０は、出メダル数表示切替スイッチ６８１がＯＮとなっているか否かを監視し、出メダル数表示切替スイッチ６８１がＯＮとなっている場合にだけ、演出制御装置７０に表示装置４に出メダル数を表示するように表示制御コマンドを送信する。
また、表示装置４に前記出メダル数を表示する際には、例えば、表示装置４の表示画面の左右上下の何れかの側部に常時小さく表示するものとしても良いし、定時的（例えば、５分おき等）に前記出メダル数を表示するものとしても良いし、表示装置４において、特に演出表示が行われていない場合、例えば、各種入賞の当選や外れの報知や、特別入賞が当選している可能性を示す表示などが行われておらす通常ゲーム中に表示される表示が行われている場合や、前のゲームか終了してから所定時間経過し、客待ち状態の表示が行われている場合に表示するものとしても良い。また、パチスロ遊技機のゲーム状態に対応して出メダル数を表示装置４に表示するものとしても良く、例えば、ＢＢ入賞が成立して特別遊技状態となった際に表示したり、各ゲームの開始時（例えば、スタートレバースイッチ１３ａがＯＮとなってから、リール停止スイッチ１４ｄ〜１４ｆの何れかがＯＮとなる間でなど）に表示したり、前のゲームが終わってから次ぎのゲームが始まるまでの間に表示しても良い。
【０１０６】
上述のように変更された出メダル数設定値に基づいたＢＢ中の出メダル数の予想値を表示した場合に、遊技者は、出メダル数の予想値から出メダル数設定値を知ることができる。また、出メダル数の予想値が表示されていなくとも、パチスロ遊技機のゲームに対して有る程度の技量と知識を有する遊技者は、ＢＢ中のメイン小役の実際の当選確率から出メダル数設定値が高いか低いかを認識することができる。しかし、ボーナス設定値と出メダル設定値は別々に設定されるので、出メダル設定値の高低が遊技者に認識されても、遊技者は、ボーナス設定値を認識することができない。
【０１０７】
また、パチスロ遊技機１００において、設定変更モードからゲームモードになった後、もしくは図９に示すように、電源投入前に設定キースイッチ６３１をＯＮとせずに、電源投入後に直接ゲームモードとなった後に、ゲームが実行されていない状態で、図９に示すように設定キースイッチ６３１をＯＮとすると、現在のボーナス設定値及び出メダル数設定値を表示するように指示する表示制御コマンドが演出制御装置７０に出力される。そして、演出制御装置７０は、図１１（Ｆ）に示すように、現在の設定値として、遊技制御装置５０から予め送信されて演出制御装置７０（例えば、ＲＡＭ７０３）で記憶している確率設定値情報と出メダル数設定値情報とに基づいてボーナス設定値と出メダル数設定値とを表示装置４に表示させる。なお、設定キースイッチ６３１をＯＮにした時に、遊技制御装置５０から現在のボーナス設定値を示す確率設定値情報と、出メダル数設定値を示す出メダル数設定値情報とを演出制御装置７０に送信しても良い。
【０１０８】
従って、電源投入後に現在のボーナス設定値及び出メダル数設定値を表示装置４に表示させて、容易に、現状のボーナス設定値及び出メダル数設定値を確認することができる。また、遊技店のイベントや、会員へのサービスなどとして、遊技者にボーナス設定値が高設定とされた遊技機を発表する際に、ボーナス設定値が発表のとおりに高設定であることを、演出用の表示装置４を用いて容易に確認させることができる。
【０１０９】
そして、パチスロ遊技機１００においては、電源投入処理の後に、ゲームモードの処理として、ベット処理が行われる。ベット処理においては、先ず、クレジット選択ボタン１２により「非クレジット状態」を選択している場合にメダル投入口６よりメダルが投入されると、この投入されたメダルを投入メダル検出センサ６ａが検出して該検出信号を遊技制御装置５０に入力する。
すると、遊技制御装置５０は、この検出信号に基づいて、メダルのベット数の記憶を加算するとともに、そのベット数をベットライン表示部３１に表示する。
ただし、ベット数には、所定の上限値（例えば、３枚）が設定されているため、上限値を超えるメダルを投入した場合には、超えた分のメダルについてはベット数に加算せずに受皿１８へと返却するようになっている。
【０１１０】
他方、クレジット選択ボタン１２（クレジット選択スイッチ１２ａ）により「クレジット状態」を選択している場合にメダル投入口６よりメダルが投入されると、このメダルを投入メダル検出センサ６ａが検出して該検出信号を遊技制御装置５０に入力する。
この場合も同様に、遊技制御装置５０は、メダルの検出信号に基づいてメダルのベット数の記憶を加算するとともに、そのベット数をベットライン表示部３１に表示する。
さらに、ベット数の上限値（３枚）を超えるメダルを投入した場合には、超えた分のメダルについてはベット数に加算せずに、メダルのクレジット数の記憶を１ずつ加算するとともに、その加算結果をクレジット数としてクレジット数表示部７に表示する。
ただし、クレジット数には、所定の上限値（例えば、５０枚）が設定されており、上限値を超えるメダルを投入した場合には、超えた分のメダルをクレジット数に加算せずに受皿１８へと返却するようになっている。
さらに、メダルのクレジットがある状態で、１ベットボタン１０又はマックスベットボタン９を操作すると、操作に応じた数のメダルをベットするとともに、クレジット数の記憶をベット数分減算するようになっている。
【０１１１】
なお、「非クレジット状態」のときに入賞に基づきメダルを払い出す場合には、メダルの全数を受皿１８へと払い出すようになっている一方で、「クレジット状態」のときに入賞に基づきメダルを払い出す場合には、クレジット数が所定の上限値（例えば、５０枚）に達するまではメダルを受皿１８へは払い出さずにクレジット数に加算し、該上限値を超えた分のメダルはクレジット数に加算せずに受皿１８に払い出すようになっている。
【０１１２】
また、メダルのベット数（賭け数）に応じて複数の有効化可能ラインのうち有効化されて有効ラインとなる数が変化するようになっている。
即ち、例えば、ベット数が１の場合には、１つの有効化可能ライン（例えば、中段横ライン）だけを有効化し、ベット数が２の場合には、３つの有効化可能ライン（例えば、上、中、下段の横ライン）を有効化し、ベット数が３の場合には、全ての有効化可能ライン（例えば、５つの有効ラインとして上、中、下段の横ラインと、右上がり、右下がりの斜めライン）を有効化するように設定されている。
そして、ベット数に応じて有効化した有効化可能ライン、すなわち有効ライン上で入賞に対応する所定の入賞結果態様が形成された場合のみ入賞が成立し、メダルの払い出しを行う。逆に、この有効ライン以外のラインで入賞結果態様が形成されても入賞は成立しないので、入賞に対応したメダルの払い出しは行わない。
【０１１３】
また、ベット処理中にベット数が０から１以上となった段階で、スタートレバー１３の操作を検知して遊技制御装置５０に操作信号を出力するスタートレバースイッチ１３ａが有効となる。また、前回の遊技でリプレイ入賞の入賞結果態様（リプレイ入賞結果態様）が成立している場合には、前回ゲームのベット数が自動的（コインの投入等の操作なし）に設定された後にスタートレバースイッチ１３ａが有効となる。
ここで、遊技者は、メダル投入口６よりメダルを投入することによりベットを行った状態で、或いは、マックスベットボタン９又は１ベットボタン１０の操作によりベットを行った状態で、或いは、前回の遊技でリプレイ入賞結果態様が成立している場合にはベットを行わずに、スタートレバー１３を操作することになる。
【０１１４】
スタートレバーが操作された際に、スタートレバースイッチ１３ａが有効となっていれば、スタートレバー１３の操作をスタートレバースイッチ１３ａが検出し、この検出信号が遊技制御装置５０のＣＰＵ５１に入力され、遊技制御装置５０において、抽選処理が行われる。なお、ベット数が上限となっていなければ、スタートレバースイッチ１３ａが操作された時点でベット数が確定する。
【０１１５】
ゲームモードにおいてスタートレバースイッチ１３ａから操作信号が入力した場合に抽選処理が開始される。スタートレバースイッチ１３ａからの操作信号は、遊技制御装置５０に設けられた図示しない乱数のサンプリング回路にも入力され、サンプリング回路は、この入力信号（検出信号）のタイミングで乱数発生回路から内部抽選用の乱数を抽出し、該抽出した乱数をＣＰＵ５１に送信する。ＣＰＵ５１は、入力された乱数をＲＡＭ５３の入賞抽選用の乱数の記憶領域に記憶する。
次ぎに、上述のように抽出されＲＡＭ５３に記憶された乱数と、ＲＯＭ５２に記憶されるとともに、入賞用の判定値が登録された入賞判定テーブルの判定値とを比較する。
なお、入賞判定テーブルは、ベット数及び遊技状態（通常遊技状態、特別遊技状態等）と、上述のように設定されたボーナス設定値（通常遊技状態の場合）及び出メダル数設定値（ＢＢ中の小役ゲームの場合）とに応じて異なるテーブルが用いられるようになっている。
【０１１６】
そして、ＣＰＵ５１において、上述の乱数と入賞判定テーブルの判定値が比較され、抽出されてＲＡＭ５３に記憶された乱数と、入賞判定テーブルの何れかの入賞に対応する判定値が一致した場合には、一致した判定値に対応する入賞が当選となる。一方、何れの入賞の判定値とも抽出された乱数と一致しなかった場合には、外れとなる。
【０１１７】
そして、抽選処理が終了した後に、ゲームの制御のリール変動開始処理を行う。
【０１１８】
リール変動開始処理においては、遊技制御装置５０は、スタートレバースイッチ１３ａからの検出信号の入力に基づき、第１〜第３リール用モータ６１１〜６１３に対して各リール２０ａ〜２０ｃの回転開始を指示する制御信号を送る（各リール２０ａ〜２０ｃを回転開始させる制御を行う）。これにより、図柄の変動表示を行う状態となる。
【０１１９】
このように図柄の変動表示を開始した後に、各リールストップボタン１４ａ〜１４ｃの操作による各リール２０ａ〜２０ｃの停止操作が可能な状態となると、ＣＰＵ５１は各ストップボタンランプ１４０に点灯を指示する制御信号を送る（各ストップボタンランプ１４０を点灯させる処理を行う）。この処理によりストップボタンランプ１４０を点灯させることで、各リールストップボタン１４ａ〜１４ｃの操作により各リール２０ａ〜２０ｃを停止可能な状態となったことを報知する。
また、各リール２０ａ〜２０ｃの停止操作が可能な状態となった際に、遊技制御装置５０において、変動停止処理が開始される。変動停止処理においては、リール停止スイッチ１４ｄ〜１４ｆからの操作信号の入力を待機する状態となる。
そして、各リール２０ａ〜２０ｃの停止操作が可能となった状態で、各リールストップボタン１４ａ〜１４ｃを個別に順次操作すると、各リール停止スイッチ１４ｄ〜１４ｆからの操作信号がそれぞれ遊技制御装置５０に入力される。
【０１２０】
遊技制御装置５０は、上述の操作信号の検出を待機した状態で、各リール停止スイッチ１４ｄ〜１４ｆからの操作信号を検出すると各リール停止スイッチ１４ｄ〜１４ｆに対応するリール２０ａ〜２０ｃを停止する停止制御を行う。
遊技制御装置５０は、ＲＯＭ５２に記憶された複数の停止テーブルから遊技状態と入賞の抽選結果、ベット数、リール停止スイッチ１４ｄ〜１４ｆの操作順に対応する停止テーブルを選択して読み出す。普通遊技状態の場合には、小役入賞、リプレイ入賞が当選し、対応する入賞のフラグがセットされている場合に、入賞フラグに対応する入賞を成立させる組合せの停止図柄を有効ライン上に引込停止制御するための停止テーブル、すなわち、入賞フラグに対応する入賞を成立させるかもしくは成立を可能とする停止テーブル（引込停止テーブル）を選択する。また、入賞の抽選結果が外れの場合で、かつ、特別入賞の当選フラグがセットされていない場合は、有効ライン上に各入賞を成立させる組合せの停止図柄が揃わないように蹴飛ばし停止制御するための停止テーブル、すなわち、何れの入賞も成立させない停止テーブル（蹴飛ばし停止テーブル）を選択する。また、例えば、入賞の抽選結果が外れの場合で、かつ、特別入賞の当選フラグがセットされている場合は、特別入賞を成立させる組合せの停止図柄を有効ライン上に引込停止制御するための停止テーブル、すなわち、特別入賞の成立を可能とする（他の入賞は不可）停止テーブル（引込停止テーブル）を選択する。
【０１２１】
なお、各リール２０ａ〜２０ｃの図柄配列と、停止テーブルとから取りこぼしのない入賞（例えば、太鼓小役、リプレイ）の当選に対応する停止テーブルが選択された場合に、停止テーブルに基づく引込停止制御により、対応する入賞が必ず成立する。また、各リール２０ａ〜２０ｃの図柄配列と、停止テーブルとから取りこぼしのある入賞（例えば、はっぴ小役、一番小役、チェリー小役、ＢＢ、ＲＢ）の当選に対応する停止テーブルが選択された場合には、所定の範囲のタイミングでリール停止スイッチ１４ｄ〜１４ｆからの操作信号があった場合に、停止テーブルに基づく引込停止制御により対応する入賞が成立し、所定の範囲外のタイミングでリール停止スイッチ１４ｄ〜１４ｆからの操作信号があった場合に、全ての入賞が成立せずにリール２０ａ〜２０ｃが停止する。
【０１２２】
また、特別遊技状態の場合で、かつ、ＢＢの場合には、上述の小役入賞の当選確率が高くされた小役ゲームとなり、上述の出メダル数設定値に基づいたメイン小役入賞の当選確率を用いた抽選が行われ、入賞の抽選結果が各小役入賞の当選の場合に、当選した小役入賞を成立させるか成立可能とする引込停止テーブルが選択される。また、ボーナスイン（ジャックイン）入賞が当選した場合（ボーナスイン入賞の入賞結果態様はリプレイ入賞と同じであるが、再ゲームではなく、上述のようにボーナスインとなり、ＲＢにおけるＪＡＣゲームが行われる）には、基本的に当選したボーナスイン入賞を成立させるが、左の第１リールストップボタン１４ａより先に中と右の第２及び第３リールストップボタン１４ｂ，１４ｃを先に操作した場合（左の第１リール停止スイッチ１４ｄより先に中と右の第２及び第３リール停止スイッチ１４ｅ，１４ｆから信号が入力した場合）に、ボーナスイン入賞を外すことも可能な引込停止テーブルが選択される。すなわち、所謂リプレイ外しが可能となっている。
また、ＲＢ入賞成立時もしくはＢＢ中のＲＢの場合には、上述のＪＡＣゲームが行われ、変動表示手段の中断の横ラインに「リプレイ」を引込む引込停止テーブルが用いられる。
【０１２３】
そして、上述のような停止テーブルを用いた停止制御では、リール停止スイッチ１４ｄ〜１４ｆからの操作信号が入力した際に、各リール位置検出センサ６０１〜６０２の出力データからリール２０ａ〜２０ｃの回転位相（回転角度）を得る。そして、上述の停止テーブルのリール２０ａ〜２０ｃの回転位相に対応する滑りコマ数（０〜４）でリール２０ａ〜２０ｃを停止させるように、ステッピングモータであるリール用モータ６１１〜６１３の駆動回路に制御信号を送信する。すなわち、遊技制御装置５０は、選択された停止テーブルに従い、各リール停止スイッチ１４ｄ〜１４ｆから操作信号が入力したタイミングでの各リールの回転位相に基づいて、各リール２０ａ〜２０ｃの停止角度（位相）を決定し、この決定に基づき、各リール用モータ６１１〜６１３に対して各リール２０ａ〜２０ｃの回転停止を指示する制御信号を出力する。なお、予め設定された自動停止時間が経過した際に、未だリール停止スイッチ１４ｄ〜１４ｆがＯＮとならない場合には、遊技制御装置５０がリール用モータ６１１〜６１３を自動停止させる。自動停止される場合も引込停止制御や蹴飛ばし停止制御が機能し、例えば、自動停止時間が経過した際の各リール２０ａ〜２０ｃの回転位相に基づいて、上述の停止制御が行われる。
【０１２４】
そして、遊技制御装置５０の停止制御により各リール２０ａ〜２０ｃが停止し、図柄表示窓５内に停止表示される停止図柄の組合せが決定した段階でゲームの制御における次ぎの処理の入賞成立判定処理が行われる。
入賞成立判定処理においては、リール位置検出センサ６０１〜６０３からの検出信号に基づいて停止したリール２０ａ〜２０ｃの停止角度から、実際に変動表示手段において入賞が成立しているか否かを確認する。そして、入賞が成立していない場合には、入賞成立判定処理を終了し、入賞が成立している場合には、成立した入賞がＢＢ入賞もしくはＲＢ入賞か、それ以外の小役入賞、リプレイ入賞、ＪＡＣゲームの入賞、ＢＢ中のリプレイ入賞（ボーナスイン）か判定し、ＢＢ入賞もしくはＲＢ入賞が成立した場合には、遊技状態を特別遊技状態（ＢＢもしくはＲＢ）とする。そして、成立した入賞情報（例えば、成立した入賞の種類等）をＲＡＭ５３に記憶して入賞成立判定処理を終了する。
【０１２５】
次ぎにゲームの制御の払出処理に移行し、遊技制御装置５０は、上述の入賞情報に基づいて、入賞が成立している場合には、メダル払出部８０を制御して、成立した入賞に対応する枚数の遊技媒体（メダル）を払い出させ、一回のゲームが終了となる。なお、特別遊技状態中において、上述の特別遊技状態の終了条件が成立したゲームが終了した場合には、通常遊技状態に戻る。
【０１２６】
以上のことから、パチスロ遊技機１００は、複数の図柄を変動表示可能な変動表示手段２０と、前記変動表示手段２０での変動表示を伴うゲームの実行毎に複数種の入賞の抽選を行う抽選手段（遊技制御装置５０）とを備え、前記抽選手段の抽選結果が前記複数種の入賞のうち特別入賞の当選となったことに基づき、当該当選した特別入賞に対応する図柄を停止し得るように前記変動表示手段２０の停止制御を行い、前記変動表示手段２０に該特別入賞に対応する図柄が停止した場合に、遊技者が利益を獲得しやすい特別遊技状態を発生するようにしたスロットマシンであり、前記特別入賞の当選確率を外部操作に基づき複数段階で設定変更可能な特別入賞確率設定手段（確率設定装置６３０が接続された遊技制御装置５０）と、前記特別入賞確率設定手段の設定変更とは別に設定変更可能に構成され、前記特別遊技状態の発生に基づき遊技者が獲得する利益量に関わる設定値を外部操作に基づき複数段階で設定変更可能な利益量設定手段（確率設定装置６３０が接続された遊技制御装置５０）とを備えている。
【０１２７】
従って、この例のパチスロ遊技機１００は、特別入賞の当選確率の設定変更とは別に、特別入賞が成立して特別遊技状態（例えばＢＢ）が発生することに基づいて遊技者が獲得する利益量に係わる設定値（出メダル数設定値）を設定変更することができるので、特別遊技状態を比較的多数発生させるが、１回の特別遊技状態で獲得できる遊技媒体（利益量）を少なくしたり、逆に、特別遊技状態の発生は少なくするが、発生した場合に多数の遊技媒体（利益量）を獲得させたり、など、遊技店が要望する種々の営業形態（営業形態の変更も含む）に対応できるスロットマシンとなる。
また、特別入賞の当選確率の設定変更とは別に、特別遊技状態における遊技者の利益量の設定を変更できるので、単に、特別入賞の当選確率を上げるとともに、それに対応してその他の入賞の当選確率（特別遊技状態の小役入賞の当選確率も含む）も上げるのに比較して、特別入賞の当選確率を上げて特別遊技状態における遊技者の利益量を下げるなどが可能となることで、遊技店側で、遊技者の獲得利益量（遊技店の遊技媒体の払出量）の微細な調整が可能となる。
【０１２８】
また、従来のスロットマシンでは、特別入賞の当選確率と特別遊技状態中における所定の入賞（メイン小役）の当選確率が同じ設定値により決定され、前者の当選確率と後者の当選確率とが対応していたため、特別遊技状態中における所定の入賞（メイン小役）の当選状況（実際の当選確率）により遊技者が確率設定値を認識してしまう虞があったが、この例のパチスロ遊技機１００によれば、特別入賞の当選確率を決めるボーナス設定値と、特別遊技状態におけるメイン小役の当選確率を決める出メダル数設定値が別々に設定されることから、特別遊技状態中の遊技媒体の獲得量からは特別入賞の当選確率に対する設定値は何ら遊技者が認識できないので、自由に遊技媒体の獲得量を調整できる。従って、特別入賞の当選確率の設定値を遊技者に認識されることを気にせずに、特別遊技状態のメイン小役の当選確率を、遊技者が容易に当選確率の違いに気付く程度に大きく変更することができる。
【０１２９】
また、パチスロ遊技機は、前記特別遊技状態が発生した場合には、特定の入賞の当選確率が高められたゲーム（例えば、ＢＢ中の小役ゲーム）を複数回実行可能となるものとし、前記利益量設定手段（確率設定装置６３０が接続された遊技制御装置５０）は、前記特別遊技状態の発生に基づき高められる特定の入賞の当選確率を外部操作に基づき複数段階で設定変更可能な特定入賞確率設定手段（確率設定装置６３０が接続された遊技制御装置５０）を含むものとしている。
【０１３０】
従って、特別遊技状態中に主に当選する特定の入賞、所謂メイン小役（ここでは太鼓小役入賞）の当選確率を設定変更するので、特別遊技状態中に遊技者が獲得する利益量を確実に変更することが可能となる。
【０１３１】
また、前記利益量設定手段（確率設定装置６３０が接続された遊技制御装置５０）での設定値に関する情報を遊技者に報知可能な報知手段（演出制御装置７０に制御された表示装置４）を備えているので、特別遊技状態が発生した場合の性能（例えば、特別遊技状態における平均的な遊技媒体の獲得数）を遊技者は知ることができるので、安心して遊技を行えるし、遊技するスロットマシンの選択の目安にもなる。
また、遊技店においては、特別遊技状態で獲得し得る遊技媒体数を同一機種では同じ設定にすることも考えられるが、このような場合に、台毎に設定差を設けていないことをアピールできる。
さらに、特別遊技状態で獲得し得る遊技媒体数の設定を高い設定にした場合に、その設定を遊技者にアピールでき、来店する遊技者数を増加できる。
【０１３２】
また、パチスロ遊技機１００は、前記報知手段（演出制御装置７０に制御された表示装置４）が報知する状態と報知しない状態とに外部操作に基づき切替可能な報知有無切替手段を備えているので、営業形態に応じて遊技店で報知するか、しないかを選択でき、例えば、低設定である場合にその設定状態が報知されることで遊技店の利益が低下してしまう等を防止できる。
【０１３３】
また、パチスロ遊技機１００は、前記特別入賞確率設定手段（確率設定装置６３０が接続された遊技制御装置５０）および利益量設定手段（確率設定装置６３０が接続された遊技制御装置５０）の設定変更を可能とする設定変更状態に移行させるためのキー操作式の設定装置（設定キースイッチ６３１）を設け、前記設定変更状態において、前記特別入賞確率設定手段による設定変更操作を優先的に行わせる設定変更操作優先制御手段（遊技制御装置５０）を備えている。
【０１３４】
従って、キー操作式であることにより不正行為を防止できる。また、遊技店においては、スロットマシンの調整を行う場合に、従来から一般的な特別入賞確率設定手段を操作することの方が利益量設定手段を操作することより多くなる可能性が高く、キー操作により設定変更状態にした後に特別入賞確率設定手段のみを操作する場合に、特別入賞確率設定手段を優先的に操作できるようになっていると非常に便利である。
【０１３５】
また、パチスロ遊技機１００は、前記ゲームに関わる演出表示を行う画像表示装置（表示装置４）と、前記特別入賞確率設定手段および利益量設定手段の設定変更情報を前記画像表示装置に表示させる表示制御手段（演出制御装置７０）と、を備えているので、画像表示装置での表示を見ながら簡単且つ確実に設定変更操作を行うことができる。すなわち、従来のように、パチスロ遊技機内部（例えば、前扉の裏側）に設けられた７セグの小さなディスプレイよりも見やすい、演出表示用の画像表示装置に設定変更情報としての設定値等を表示できるので、見間違い等のミスを防止できる。
【０１３６】
次ぎに、本発明のスロットマシンの実施の形態の第２例を説明する。
第２例のスロットマシンは、第１例のスロットマシンと同様の構成を有するパチスロ遊技機１００であるが、上述の電源投入処理の一部が第１例と異なるものとなっている。そして、第２例のパチスロ遊技機１００においては、以下の表４に示すように、各ボーナス設定値に対して設定可能な出メダル数設定値が制限されており、例えば、ボーナス設定値を１とし、かつ、出メダル数設定値を１とするといったように、特別入賞の当選確率が低く、かつ、特別遊技状態中における遊技者の獲得メダル数（出メダル数）も少なくなるような、遊技者に極めて不利な設定を行えないように制限している。また、ボーナス設定値を６とし、かつ、出メダル数設定値を６とするといったように、特別入賞の当選確率が高く、かつ、特別遊技状態中における遊技者の獲得メダル数も多くなるような、遊技者に有利すぎる設定を行えないように制限している。
【表４】
2004329532.tif 000006
【０１３７】
具体的には、ボーナス（確率）設定値が１の場合に設定可能な出メダル数設定値が３，４，５，６とされ、ボーナス設定値が２の場合に設定可能な出メダル数設定値が２，３，４，５，６とされ、ボーナス設定値が３か４の場合に設定可能な出メダル数設定値が１，２，３，４，５，６とされ、ボーナス設定値が５の場合に設定可能な出メダル数設定値が１，２，３，４，５とされ、ボーナス設定値が６の場合に設定可能な出メダル数設定値が１，２，３，４とされる。なお、表４では、各ボーナス設定値に対して設定可能な出メダル数設定値を示したが、各出メダル設定値に対して設定可能なボーナス設定値を示すものとしても良い。また、表４に示すボーナス設定値と出メダル数設定値のとの対応関係がデータテーブルとして遊技制御装置５０のＲＯＭ５２に記憶されている。
【０１３８】
そして、遊技制御装置５０においてボーナス設定値、出メダル数設定値の変更を行う場合に、遊技制御装置５０では、表４に示すようにボーナス設定値と出メダル数設定値との決められた範囲での組合せ以外の設定をできないように規制する。例えば、ボーナス設定値が１の場合に、出メダル数設定値を１もしくは２とすることを規制する。従って、遊技制御装置５０は、前記特別入賞確率設定手段としての遊技制御装置５０により設定されるボーナス設定値と前記利益量設定手段としての遊技制御装置５０により設定される出メダル数設定値との組合せを規制する設定規制手段として機能する。
【０１３９】
以下に、具体的に設定規制手段としての遊技制御装置５０の処理として、第２例のパチスロ遊技機１００の第１例のパチスロ遊技機１００と異なる電源投入処理を、図１２に示すフローチャートと表４と図１３の表示装置４の表示内容を参照して説明する。
【０１４０】
第２例の電源投入処理においては、以下、ステップＳ１〜ステップＳ４まで第１例と同様に行われる。ここで、簡単に説明すると電源投入時に初期化処理が行われる（ステップＳ１）。次ぎに、設定キースイッチ６３１がＯＮとなっているか否かが判定される（ステップＳ２）。そして、電源投入前に設定キースイッチ６３１がＯＮとなっている場合に設定変更モードとなり、次ぎに設定スイッチ６３２がＯＮとされたか否かを判定する（ステップＳ３）。そして、設定スイッチ６３２がＯＮとなった場合には、ボーナス設定値を現状の設定値から１つ増加して、増加した設定値に更新する（ステップＳ４）。
【０１４１】
次ぎに、上述の表４に示すようなボーナス設定値と出メダル数設置値との関係を満たしているか、すなわち、更新されたボーナス設定値に対して現状の出メダル数設定値は適正値か否かが判定される（ステップＳ５ａ）。例えば、ボーナス設定値を６から１に更新した場合に、表４に示すように、出メダル数設定値が３以上（３〜６）なら出メダル数設定値は適正値となるが、出メダル数設定値が１もしくは２ならば不適正値となる。
【０１４２】
そして、更新されたボーナス設定値に対して出メダル数設定値が不適正な場合には、出メダル数設定値が適正値となるように補正する（ステップＳ５ｂ）。
ここでは、不適正と判定された出メダル数設定値に最も近い適正値が選択される。例えば、ボーナス設定値が１に更新され、出メダル数設定値が１もしくは２で不適正とされた場合に、ボーナス設定値が１のときの出メダル数設定値の適正値の範囲が３〜６となっているので、出メダル数設定値は、不適正とされた補正前の設定値である１もしくは２に最も近い適正値である３に補正される。言い換えれば、例えば、ボーナス設定値に対して出メダル数設定値が不適正とされた場合には、更新されたボーナス設定値に対して適正とされる出メダル数設定値の範囲内（例えば、３〜６）で、不適正とされた補正前の出メダル数設定値に近い方の適正な出メダル数の限界値（例えば３）に補正する。
【０１４３】
すなわち、設定規制手段としての遊技制御装置５０は、前記特別入賞確率設定手段としての遊技制御装置５０によるボーナス設定値と前記利益量設定手段としての遊技制御装置５０による出メダル数設定値の組合せが不適正な組合せであることを判定する設定値不適正判定手段として機能する。そして、遊技制御装置５０は、設定値不適正判定手段として機能した場合の判定結果に基づき前記特別入賞確率設定手段若しくは前記利益量設定手段の設定値（ボーナス設定値もしくは出メダル数設定値）を適正値に補正する設定値補正手段として機能する。
さらに、設定値補正手段としての遊技制御装置５０は、補正前の不適正な設定値（ボーナス設定値もしくは出メダル数設定値）を、この不適正な設定値に近い方の適正な設定値の範囲の限界値に補正する。
なお、上述の場合には、ボーナス設定値に対して出メダル数設定値の適正な範囲を示し、更新されたボーナス設定値に対して出メタル数を補正するようにしているが、出メダル数設定値に対してボーナス設定値の適正な範囲を示し、更新された出メダル数設定値に対してボーナス設定値を補正するようにしても良い。
【０１４４】
次ぎに、更新されたボーナス設定値に対して出メダル数設定値が適正値であった場合と、出メダル数設定値を適正値となるように補正した場合に、遊技制御装置は更新されたボーナス設定値を示す確率設定値情報と補正された可能性のある出メダル数設定値情報を演出制御装置７０に送信するとともに、表示装置４に更新されたボーナス設定値と、このボーナス設定値に対して適正である出メダル数設定値を表示するように指示する表示制御コマンドを出力する（ステップＳ５ｃ）。
【０１４５】
そして、演出制御装置７０においては、遊技制御装置５０から送信された表示制御コマンドに基づいて、現在、表示装置４に表示されているボーナス設定値と出メダル数設定値に代えて、遊技制御装置５０から送信された確率設定値情報及び出メダル数設定値情報に基づいて更新されたボーナス設定値と補正された可能性のある出メダル数設定値を表示装置４に表示させる。
そして、遊技制御装置５０においては、スタートレバースイッチ１３ａから操作信号が入力されるまで、設定スイッチ６３２から信号が入力される度に、ステップＳ４のボーナス設定値（確率設定値）の更新と、ステップＳ５ｃのボーナス設定値を示す確率設定値情報と出メダル数設定値を示す出メダル数設定値情報の送信とを繰り返し行うとともに、この際に、更新されたボーナス設定値に対して、出メダル数設定値が適正か否かを判定するとともに、ボーナス設定値に対して出メダル数設定値が不適正と判定された場合には、出メダル数設定値を補正する処理を行う。
【０１４６】
なお、ボーナス設定値が６で、出メダル数設定値が１の場合に、例えば、ボーナス設定値を１に更新すると、表４に示すように出メダル数設定値のボーナス設定値が１の場合の適正値は、３〜６となるので、最も近い適正値の範囲の限界値として出メダル数設定値は３に補正される。さらに、ボーナス設定値を２に更新すると、表４に示すように出メダル数設定値のボーナス設定値が２の場合の適正値は、２〜６となるが、補正された出メダル数設定値は３に補正されているので適正値である。しかし、補正前の設定値は１であり、補正前の設定値に近い限界値は２となり、２の方が補正前の出メダル数設定値に近くなる。さらに、ボーナス設定値を３に更新すると、ボーナス設定値が３の場合の出メダル数設定値の適正な範囲が１〜６とされ、補正前の出メダル数設定値（１）は適正値となり補正する必要がなくなるが、最初の補正で出メダル数設定値が３とされてしまう。
従って、ステップＳ５ａにおいて、繰り返し出メダル設定値がボーナス設定値に対して適正か否かを判定する場合には、補正前の出メダル数設定値が適正か否か判定し、補正前の出メダル数設定値が適正な場合に、補正後の出メダル数設定値を補正前の出メダル数設定値に戻す処理を行い、補正前の出メダル数設定値が不適正とされ、ステップＳ５ｂで補正する場合には、補正前の出メダル数設定値に最も近い適正値、すなわち、適正値の範囲の限界値のうちの補正前の設定値に近い限界値に補正前の設定値を補正する。なお、逆に上述のように出メダル数設定値に対してボーナス設定値を補正する場合には、上述の処理において出メダル数設定値とボーナス設定値を入れ替える。
【０１４７】
そして、スタートレバー１３が管理者に操作されて、ステップＳ６において、遊技制御装置５０にスタートレバースイッチ１３ａから操作信号が入力された場合には、第１例と同様の処理が行われ、ボーナス設定値が確定されるとともに、ボーナス設定値を変更する状態から、出メダル数設定値を変更する状態に移行する。
次ぎに、第１例と同様にスタートレバースイッチ１３ａがＯＮとなった後に設定キースイッチ６３１がＯＮか否かが判定される（ステップＳ７）。ここで、第１例と同様に、設定スイッチ６３２、スタートレバースイッチ１３ａ（スタートレバー１３）、設定キースイッチ６３１を操作しなければ、ステップＳ７（設定キースイッチ６３１のＯＮ判定）、ステップＳ８（設定スイッチ６３２のＯＮ判定）、ステップＳ１１（スタートレバースイッチ１３ａのＯＮ判定）を繰り返す状態となり、設定スイッチ６３２、スタートレバースイッチ１３ａのいずれかがＯＮとなるか、設定キースイッチ６３１がＯＦＦとなるかを待機する状態となる。そして、ボーナス設定値の設定変更が終了し、管理者が設定キースイッチ６３１をＯＦＦとした場合に、遊技制御装置５０において設定変更モードが終了しゲームモードとなる。
【０１４８】
設定キースイッチ６３１をＯＦＦとしなかった場合に、設定スイッチ６３２がＯＮとなった場合には（ステップＳ８）、現状の出メダル数設定値を１つ上げた出メダル数設定値が現状のボーナス設定値に対して適正値か否かが判定される（ステップＳ８ａ）。
例えば、上述の処理でボーナス設定値が１とされた場合に、出メダル設定値を６から１に更新するように設定スイッチ６３２をＯＮとすると、ボーナス設定値に対して更新すべき設定値が表４のデータテーブルに基づいて不適正と判定される。この場合には、遊技制御装置５０から演出制御装置７０に現状のボーナス設定値に対して、不適切な出メダル数設定値を設定しようとしていることを報知する表示を表示装置４で行うことを示す不適正設定操作発生情報（表示制御コマンド）が出力される（ステップＳ８ｂ）。
【０１４９】
例えば、図１３に示すように、現状のボーナス設定値が１で、現状の出メダル数設定値が６の場合に、出メダル数設定値を１にしようとすると、「その設定値への変更はできません」とうの不適切な設定値に設定しようとしていることを報知する表示が行われる。従って、演出制御装置７０に制御される表示装置４は、予め決められたボーナス設定値（特別入賞確率設定手段による設定値）と出メダル数設定値（利益量設定手段による設定値）との組合せが不適正な組合せとなるような設定操作が行われた場合に、それを報知する不適正操作設定報知手段となる。そして、ステップＳ８に戻る。そして、管理者がさらに設定スイッチ６３２をＯＮとすると、出メダル数設定値が２となるが、これでも、ボーナス設定値１に対して、不適正な出メダル数設定値となり、上述のように不適正な操作が行われたことが表示装置４に表示される。ここで、さらに、管理者が設定スイッチ６３２をＯＮとすると、出メダル数設定値が３となり、ボーナス設定値１に対して適正な出メダル数設定値となる。
そして、ステップＳ８ａにおいて、設定スイッチ６３２の操作によりカウントアップされた出メダル数設定値が現状のボーナス設定値に対して適正と判定された場合には、遊技制御装置５０のＲＡＭ５３に記憶されている出メダル数設定値を現状の設定値から１つもしくは上述のように出メダル数設定値が不適性と判断された場合に適正となるまで操作される設定スイッチ６３２がＯＮとなった回数分だけ増加（６を上限としさらに設定スイッチ６３２がＯＮとなったら１に戻る）して、増加した設定値に更新する（ステップＳ９）。次ぎに遊技制御装置５０は更新された出メダル数設定値を示す出メダル数設定値情報を演出制御装置７０に送信するとともに、表示装置４に更新された出メダル数設定値を表示するように指示する表示制御コマンドを出力する（ステップＳ１０）。
そして、演出制御装置７０においては、遊技制御装置５０から送信された表示制御コマンドに基づいて、現在表示されている出メダル数設定値である数字に替えて、遊技制御装置５０から送信された確率設定値情報に基づいて更新された出メダル数設定値の数字を表示する。
また、遊技制御装置５０においては、スタートレバースイッチ１３ａから操作信号が入力されるまで、設定スイッチ６３２から信号が入力される度に、ステップＳ８ａの更新される出メダル数設定値が現状のボーナス設定値に対して適正か否かの判定と、不適正な場合のステップＳ８ｂのでメダル数設定値が不適正であることの報知とを行うとともに、不適正でない場合にステップＳ９の出メダル数設定値（確率設定値）の更新と、ステップＳ１０の出メダル数設定値を示す確率設定値情報の送信とを繰り返し行う。
【０１５０】
そして、スタートレバー１３が管理者に操作されて、ステップＳ１１において、遊技制御装置５０にスタートレバースイッチ１３ａから操作信号が入力された場合には、第１例と同様に、出メダル数設定値が確定されるとともに、出メダル数設定値を変更する状態から、ボーナス設定値を変更する状態に移行する。
【０１５１】
次ぎに、第１例と同様に、スタートレバースイッチ１３ａがＯＮとなった後にステップＳ２に戻り、ここで、設定スイッチ６３２、スタートレバースイッチ１３ａ（スタートレバー１３）、設定キースイッチ６３１を操作しなければ、ステップＳ２、ステップＳ３、ステップＳ６を繰り返す状態となり、設定スイッチ６３２、スタートレバースイッチ１３ａの何れかがＯＮとなるか、設定キースイッチ６３１がＯＦＦとなるのを待機する状態となる。ここで、ボーナス設定値及び出メダル数設定値の設定変更が終了し、管理者が設定キースイッチ６３１をＯＦＦとした場合に、上述のように遊技制御装置５０において設定変更モードが終了しゲームモードとなる。
【０１５２】
以上のような第２例のパチンコ遊技機１００は、第１例のパチンコ遊技機１００に、前記特別入賞確率設定手段（確率設定装置６３０が接続された遊技制御装置５０）による設定値（ボーナス設定値）と前記利益量設定手段（確率設定装置６３０が接続された遊技制御装置５０）による設定値（ボーナス設定値）との組合せを規制する設定規制手段（遊技制御装置５０）を備えたものである。
【０１５３】
従って、遊技店において、あまりにも極端な設定が行われることを防止できる。例えば、特別入賞及び特定入賞の当選確率を各々最高設定にしたり、各々を最低設定にしたり、など、遊技店と遊技者との利益バランスが極端に偏るような設定の組合せを防止できる。
【０１５４】
さらに、前記設定規制手段（遊技制御装置５０）は、前記特別入賞確率設定手段による設定値（ボーナス設定値）と前記利益量設定手段による設定値（出メダル数設定値）の組合せが不適正な組合せであることを判定する設定値不適正判定手段（遊技制御装置５０）と、該設定値不適正判定手段の判定結果に基づき前記特別入賞確率設定手段若しくは前記利益量設定手段の設定値を適正値に補正する設定値補正手段（遊技制御装置５０）とを備えても良い。この場合には、ボーナス設定値と出メダル数設定値との組合せが規制される組合せとなる場合に、不適正な組合せであることが判定されるとともに、ボーナス設定値と出メダル数設定値とのうちの一方が、これらの組合せが適正となるように補正される。従って、パチスロ遊技機１００の管理者は、これら設定値の組合せが適正か不適正かを考慮せずに容易に設定が行えるとともに、間違って不適正な組合せで設定値が設定されるのを確実に防止できる。
また、設定値補正手段は、補正前の設定値の近い方の限界値に補正するようになっていれば、補正後の設定値が補正前の設定値と大きく異なるのを防止することができる。
【０１５５】
さらに、上述の第２例において、設定値不適正判定手段（遊技制御装置５０）は、特別入賞確率設定手段による設定値（ボーナス設定値）の変更が行われる場合に、該変更された設定値に対して利益量設定手段の設定値（出メダル数設定値）が不適正であるか否かを判定可能に構成され、
設定値補正手段（遊技制御装置５０）は、前記設定値不適正判定手段が特別入賞確率設定手段の設定値に対して利益量設定手段の設定値が不適正であることを判定した場合に、利益量設定手段の設定値を適正値に補正するように構成される。
【０１５６】
また、上述の第２例において、設定値不適正判定手段は、利益量設定手段による設定値の変更が行われる場合に、該変更予定の設定値（実際に変更操作が行われてその操作により入力されているが未だに設定されていない値）が特別入賞確率設定手段の設定値に対して不適正であるか否かを判定可能に構成され、
設定規制手段は、設定値不適正判定手段が利益量設定手段による変更予定の設定値が特別入賞確率設定手段の設定値に対して不適正であることを判定した場合に、該利益量設定手段による設定変更を無効（設定変更操作に基づく入力信号を設定変更に対して無効）にする設定変更無効手段を備えている。
【０１５７】
すなわち、ボーナス設定値を設定変更する際に、設定変更されるボーナス設定値と現状の出メダル数設定値とが不適正な組合せの場合には、現状の出メダル数設定値を補正し、出メダル数設定値を設定変更する際に、設定変更される出メダル数設定値と現状のボーナス設定値とが不適正な組合せの場合には、設定変更される出メダル数設定値を無効とする。従って、ボーナス設定値と出メダル数設定値とが不適正な組合せとなった場合に、出メダル数設定値が自動的に変更されたり、変更される出メダル数設定値が無効とされることがあっても、ボーナス設定値が自動的に変更されたり、無効とされたりすることがなく、現状のボーナス設定値や変更されるボーナス設定値が出メダル数設定値より優先的に取り扱われる。
【０１５８】
上記のように、特別入賞確率設定手段による設定値（ボーナス設定値）を優先にした制御が行われるので、比較的頻繁に行われる特別入賞確率設定手段による設定変更時には非常に便利である。また、利益量設定手段の設定変更時には特別入賞確率設定手段の設定値は補正されないので、比較的重要である特別入賞確率設定手段の設定値が誤って設定変更されてしまうことを防止できる。
【０１５９】
なお、本発明のスロットマシンは上述の第１例及び第２例のパチスロ遊技機１００に限られるものではない。例えば、第１例及び第２例では、利益量設定手段として遊技制御装置５０が、特別遊技状態の発生に基づき遊技者が獲得する利益量に関わる設定値として、ＢＢ（特別遊技状態）におけるメイン小役（ＢＢ中に最も当選確率が高い小役入賞）の当選確率の設定値（出メダル数設定値）を外部操作に基づき変更するものとしたが、設定値として、ＢＢ（特別遊技状態）において最も当選確率が高い小役入賞であるメイン小役となる小役入賞の種類を示す設定値を変更するものとしても良い。
【０１６０】
例えば、利益量設定手段を、ＢＢ（特別遊技状態）中に当選確率を高める小役入賞（特定の入賞：メイン小役）の種類を外部操作により設定変更可能な特定入賞種類設定手段（確率設定装置６３０が接続された遊技制御装置５０）としても良い。この場合に、ＢＢにおいて最も当選確率が高いメイン小役を賞メダルの払出数の少ない例えば一番小役入賞（賞メダル１枚）とすれば、ＢＢにおいて遊技者が獲得可能な利益量（例えば、平均値）が低くなり、メイン小役を賞メダルの払出数が多い例えばはっぴ小役入賞（賞メダル１５枚）とすればＢＢにおいて遊技者が獲得可能な利益量（例えば、平均値）が高くなる。
【０１６１】
例えば、具体的には、設定値が１又は２の場合のメイン小役を一番小役入賞（賞メダル１枚）とし、設定値が３又は４の場合のメイン小役を太鼓小役入賞（賞メダル１０枚）とし、設定値が５又は６の場合のメイン小役をはっぴ小役入賞（賞メダル１５枚）としても良い。なお、これらの設定値の変更は、上述の電源投入処理により行うことができる。また、各設定値毎に、メイン小役となる小役入賞の種類を決めるとともに、メイン小役の当選確率を決めるものとしても良い。例えば、設定５のはっぴ小役入賞（設定１の一番小役入賞もしくは設定３の太鼓小役入賞）の当選確率よりも設定６のはっぴ小役入賞（設定２の一番小役入賞もしくは設定４の太鼓小役入賞）の当選確率を高くしても良い。
【０１６２】
また、上述の場合は、利益量設定手段としての遊技制御装置５０が、ＢＢ（特別遊技状態）中のメイン小役となる小役入賞の種類を示す設定値を変更することにより、メイン小役が当選して成立した場合の賞メダル（賞遊技媒体数）の払出数を変更するようにしたが、メイン小役の小役入賞の種類を変更することなく、設定値として直接メイン小役の成立時の賞メダルの払出数を設定するものとしても良い。
すなわち、利益量設定手段を、ＢＢ（特別遊技状態）中に当選確率が高められた小役入賞（特定の入賞：メイン小役）の成立に対して付与される遊技媒体数を設定変更可能な、賞遊技媒体数設定手段（確率設定装置６３０の接続された遊技制御装置５０）としても良い。
例えば、メイン小役としての太鼓小役入賞の成立時の賞メダル数を設定１の場合に８枚とし、設定２の場合を１０枚とし、設定３の場合を１２枚とし、設定４の場合を１３枚とし、設定５の場合を１４枚とし、設定６の場合を１５枚としても良い。なお、これらの設定値の変更は、上述の電源投入処理により行うことができる。
【０１６３】
また、利益量設定手段としての遊技制御装置５０を、ＢＢ（特別遊技状態）中に実行可能な小役ゲームの上限数（特別遊技状態が終了となる小役ゲーム数）を設定変更可能な、小役ゲーム数設定手段（確率設定装置６３０の接続された遊技制御装置５０）としても良い。メイン小役等の当選確率が同じ場合に、小役ゲームを実行可能な上限数が低ければ、ＢＢ（特別遊技状態）における遊技者の獲得可能な利益量（例えば、平均値）が低くなり、小役ゲームを実行可能な上限数が高ければ、ＢＢ（特別遊技状態）における遊技者の獲得可能な利益量（例えば、平均値）が高くなる。
具体的には、例えば、第１例及び第２例における小役ゲームの上限数は３０であるが、小役ゲーム設定手段における設定を、設定１の場合の小役ゲームの上限数を２０ゲームとし、設定２の場合の小役ゲームの上限数を２２ゲームとし、設定３の場合の小役ゲームの上限数を２４ゲームとし、設定４の場合の小役ゲームの上限数を２６ゲームとし、設定５の場合の小役ゲームの上限数を２８ゲームとし、設定６の場合の小役ゲームの上限数を３０ゲームとしても良い。なお、これらの設定値の変更は、上述の電源投入処理により行うことができる。
【０１６４】
また、利益量設定手段としての遊技制御装置５０を、特別遊技状態（ＢＢ）中におけるゲームにおいて所定の確率で当選するＲＢ（ＢＢ中にＲＢが当選して成立した場合がＢＯＮＵＳＩＮ或いはＪＡＣＩＮであり、成立後特定遊技状態（ＲＢ：ＪＡＣゲーム）となる）の当選確率を設定変更可能な特定遊技状態当選確率設定手段（確率設定装置６３０の接続された遊技制御装置５０）としても良い。なお、ＢＢの終了条件が小役ゲームの実行回数が３０となった場合という条件と、小役ゲーム中の３回目のＲＢの成立に伴うＪＡＣゲームが終了した場合という条件との何れか早く成立した条件なっており、ＢＢ中のＲＢの当選確率を現状より低くして、ＢＢ中に３回のＲＢ入賞が成立しない場合が増えると、特別遊技状態における遊技者の獲得可能な利益量（例えば、平均値）が低くなる。一方、ＢＢ中のＲＢの当選確率を現状よりあまり高くすると、小役ゲーム中の３回目のＲＢの成立に伴うＪＡＣゲームが終了した場合という条件が早く成立し、実質的に実行可能な小役ゲーム数が減ってしまい特別遊技状態中に遊技者が獲得可能な利益量が減る可能性があるが、所謂リプレイ外しにより、ＪＡＣＩＮの当選図柄としてリプレイ図柄が揃うのを防止することで、小役ゲームの実行回数が減少するのを防止することができ、ＢＢ中に遊技者が獲得可能な利益量を増やすことができる。
具体的には、ＢＢ中のＲＢの当選確率を、設定１の場合に１／８とし、設定２の場合に１／７とし、設定３の場合に１／６とし、設定４の場合に１／５とし、設定５の場合に１／４とし、設定６の場合に１／３としても良い。なお、これらの設定値の変更は、上述の電源投入処理により行うことができる。
【０１６５】
なお、上述の利益量設定手段は、基本的、特別遊技状態としてＢＢ中の小役ゲームにおいて遊技者が獲得可能な利益量を設定するとともに、設定を変更するようになっていたが、例えば、利益量設定手段をＢＢ中に発生するＲＢ（ＪＡＣゲーム）中におけるＪＡＣ入賞の当選確率を設定変更可能な特定遊技状態中入賞当選確率設定手段（確率設定装置６３０の接続された遊技制御装置５０）としてもよく、この場合に、例えば、ＪＡＣゲームの終了条件が、ＪＡＣゲームの実行回数が１２回となった場合と、ＪＡＣ入賞の成立回数が８回となった場合との早く成立した方なので、ＪＡＣ入賞の当選確率が高ければ、ＪＡＣ入賞が外れて余分にメダルを使うことなく、８回のＪＡＣ入賞を成立させることができ、遊技者の獲得可能な利益量が多くなり、ＪＡＣ入賞の当選確率が低い場合には、ＪＡＣゲームを１２回実行してもＪＡＣ入賞の成立回数が８に至らない場合が発生し、遊技者の獲得可能な利益量が少なくなる。
【０１６６】
また、ＢＢ中に発生するＲＢ中の遊技者が獲得可能な利益量の設定を変更する方法としては、利益量設定手段をＲＢ（ＪＡＣゲーム）中におけるＪＡＣ入賞の成立に対して付与される遊技媒体数を設定変更可能な、特定遊技状態賞遊技媒体数設定手段（確率設定装置６３０の接続された遊技制御装置５０）としても良い。ＪＡＣ入賞の成立時に払い出される遊技媒体数（例えば、メダル数）を変更することにより、特別遊技状態としてのＢＢ中のＲＢにおける遊技者が獲得可能な利益量の設定を変更可能となる。
【０１６７】
また、特定入賞確率設定手段としての確率設定装置６３０が接続された遊技制御装置５０により、特別遊技状態中以外の通常遊技状態中における小役入賞の当選確率を設定変更可能にしても良い。すなわち、特別入賞確率設定手段としての確率設定装置６３０が接続された遊技制御装置５０は、通常遊技状態におけるＢＢ入賞及びＲＢ入賞等の特別入賞の当選確率の設定値の変更を行い、特定入賞確率設定手段としての確率設定装置６３０が接続された遊技制御装置５０は、特別遊技状態中の特定入賞（複数種の小役入賞でも可）の当選確率を設定を変更するとともに、通常遊技状態中の小役入賞の当選確率の設定を変更する。従って、特定入賞確率設定手段により設定される各設定値には、特別遊技状態における特定入賞の当選確率と、通常遊技状態における小役入賞の当選確率が設定されている。この場合、通常遊技状態において、複数種の小役入賞全ての当選確率を設定変更するようにしても良いし、一部（例えば、特定遊技状態における特定入賞（メイン小役）である太鼓小役入賞のみ）を設定変更するようにしても良い。
【０１６８】
また、出メダル数表示切替スイッチ６８１の入力を遊技制御装置５０で監視し、出メダル数表示切替スイッチ６８１の切替情報を演出制御装置７０に送信するようにしているが、出メダル数表示切替スイッチ６８１の入力を演出制御装置７０で監視するようにしても良い。この場合、出メダル数表示切替スイッチ６８１を演出制御装置７０に設ける。すなわち、表示装置４に特別遊技状態における出メダル数を表示するか否かを切り替える出メダル数表示切替スイッチ６８１を演出制御装置７０に接続し、演出制御装置７０において、出メダル数表示切替スイッチ６８１がＯＮかＯＦＦかを監視し、ＯＮの場合にだけ表示装置４に上述の出メダル数の表示を行う。
【０１６９】
また、設定変更を行う際に、過去の設定値情報を表示装置４に表示するようにしても良い。例えば、パチスロ遊技機１００の電源をＯＦＦにしても記憶を保持可能なメモリに、例えば、設定変更を行った日時と、変更した設定値（上述のボーナス設定値、出メダル数設定値）とを設定変更毎に所定期間（過去の複数日分もしくは過去の設定変更の所定回数分）に渡って記憶し、設定変更時に設定変更の履歴として、過去の設定変更毎の日時と設定値とを表示する。
すなわち、パチスロ遊技機１００は、前記ゲームに関わる演出表示を行う画像表示装置（表示装置４）と、前記特別入賞確率設定手段および利益量設定手段における過去の設定値を所定期間（複数日）に亘って記憶可能な設定履歴記憶手段（例えば、演出制御装置７０のＲＡＭ７０３（パチスロ遊技機１００の電源ＯＦＦ時も含めて常時電力を供給されているものとする））と、前記設定履歴記憶手段の記憶情報を前記画像表示装置（表示装置４）に表示させる表示制御手段（演出制御装置７０）とを備えているものとしても良い。
【０１７０】
このような構成とすれば、表示装置４で表示される履歴情報を参考にしながら、設定変更操作を行うことができる。すなわち、特に、過去の設定を記載した用紙等を見なくとも、表示装置４を見ながら過去の履歴を考慮して設定変更操作を行うことができる。
【０１７１】
また、本発明はこの実施の形態のパチスロ遊技機１００に限られるものではなく、例えば、その他のスロットマシンにも適用可能である。
加えて、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１７２】
【発明の効果】
特別入賞の当選確率の設定変更とは別に、特別入賞が成立して特別遊技状態が発生することに基づいて遊技者が獲得する利益量に係わる設定値を設定変更することができるので、特別遊技状態を比較的多数発生させるが、１回の特別遊技状態で獲得できる遊技媒体（利益量）を少なくしたり、逆に、特別遊技状態の発生は少なくするが、発生した場合に多数の遊技媒体（利益量）を獲得させたり、など、遊技店が要望する種々の営業形態（営業形態の変更も含む）に対応できるスロットマシンとなる。
【図面の簡単な説明】
【図１】本発明に係るスロットマシンの好適な一例としての本実施の形態のパチスロ遊技機を示す正面図である。
【図２】上記パチスロ遊技機の主要な制御ブロック図である。
【図３】上記パチスロ遊技機の確率設定装置を含む設定装置のブロック図である。
【図４】上記設定装置が設けられた電源装置の操作盤を示す正面図である。
【図５】上記パチスロ遊技機の各リール（第１、第２、第３リール）における図柄の配置を示す図である。
【図６】上記パチスロ遊技機の遊技制御装置が電源投入時に行う設定変更処理を含む本発明の第１例の電源投入処理を説明するためのフローチャートである。
【図７】上記電源投入処理における電源、設定キースイッチ、設定スイッチ、スタートレバースイッチからの信号と表示装置における表示内容とのタイミングを示すタイミングチャートである。
【図８】上記電源投入処理における電源、設定キースイッチ、設定スイッチ、スタートレバースイッチからの信号と表示装置における表示内容とのタイミングを示すタイミングチャートである。
【図９】電源投入処理後の電源、設定キースイッチからの信号と表示装置における表示内容とのタイミングを示すタイミングチャートである。
【図１０】電源投入処理における表示装置の表示内容を説明するための図面である。
【図１１】電源投入処理後の表示装置の表示内容を説明するための図面である。
【図１２】この実施の形態のパチスロ遊技機の第２例において行われる電源投入処理を説明するためのフローチャートである。
【図１３】第２例の電源投入処理において表示装置で行われる表示内容を説明するための図面である。
【符号の説明】
４        表示装置（画像表示装置、報知手段）
２０      変動表示手段
２０ａ    第１リール
２０ｂ    第２リール
２０ｃ    第３リール
５０      遊技制御装置（抽選手段、特別入賞確率設定手段、利益量設定手段、特定入賞確率設定手段、設定変更操作優先制御手段、設定規制手段、設定値不適正判定手段、設定値補正手段、特定入賞種類設定手段、賞遊技媒体数設定手段、小役ゲーム数設定手段、特定遊技状態中当選確率設定手段、特定遊技状態賞遊技媒体数設定手段、設定変更無効手段）
７０      演出制御装置（表示制御手段、報知手段）
１００    パチスロ遊技機（スロットマシン）
６３０    確率設定装置（特別入賞確率設定手段、利益量設定手段、特定入賞確率設定手段、特定入賞種類設定手段、賞遊技媒体数設定手段、小役ゲーム数設定手段、特定遊技状態中当選確率設定手段、特定遊技状態賞遊技媒体数設定手段）
６３１    設定キースイッチ（キー操作式の設定装置）
６８１    出メダル数表示切替スイッチ（報知有無切替手段）
７０３    ＲＡＭ（設定履歴記憶手段）
【図１】
2004329532.tif 000007
【図２】
2004329532.tif 000008
【図３】
2004329532.tif 000009
【図４】
2004329532.tif 000010
【図５】
2004329532.tif 000011
【図６】
2004329532.tif 000012
【図７】
2004329532.tif 000013
【図８】
2004329532.tif 000014
【図９】
2004329532.tif 000015
【図１０】
2004329532.tif 000016
【図１１】
2004329532.tif 000017
【図１２】
2004329532.tif 000018
【図１３】
2004329532.tif 000019